(57)【要約】【課題】従来の問題を解決するステープラを提供すること。【解決手段】ステープルカートリッジおよび／またはステープル成形をあるサイズ範囲内で自動的に調整するばね押しリフトを有する外科用ステープラが提供される。リフトは、ステープル発射機構体が発射シーケンスのその前方並進を開始すると自動的に解除される。自動的一方向調整はまた、ステープルカートリッジを調整する一方で、カートリッジをアンビルに平行に維持して一貫したステープル成形を提供する。【選択図】図１Ａ
2020114445.tif 000002
【特許請求の範囲】
【請求項１】
外科用のステープラであって、
アンビルを含む第１のジョーを有し、
複数のステープルを収容したカートリッジを含む第２のジョーを有し、前記第１のジョーは、前記第２のジョーに近づいたり該第２のジョーから遠ざかったりすることができ、
前記第２のジョーと前記カートリッジとの間に設けられたカートリッジリフトを有し、前記リフトは、前記リフトが長手方向に動いている間、前記カートリッジを前記第１のジョーに向かって動かすよう配置されている、ステープラ。
【請求項２】
前記リフトは、近位側の方向にのみ動く、請求項１記載のステープラ。
【請求項３】
前記カートリッジは、前記第１のジョーに向かう方向にのみ動く、請求項１又は２記載のステープラ。
【請求項４】
前記カートリッジは、前記ステープルの発射に先立って動く、請求項１乃至３の何れか１項に記載のステープラ。
【請求項５】
前記カートリッジリフトに連結されたばねを更に有する、請求項１乃至４の何れか１項に記載のステープラ。
【請求項６】
前記ばねは、拘束されている、請求項１乃至５の何れか１項に記載のステープラ。
【請求項７】
前記第１および前記第２のジョーに連結された細長いシャフトを更に有し、前記第１のジョーと前記第２のジョーは、互いに回動可能に連結され、アクチュエータが前記細長いシャフトに取り外し可能に連結され、前記アクチュエータは、前記ジョーを開閉し、前記ステープルを発射し、ブレードを並進させるとともに前記ばねを解除するよう構成されている、請求項１乃至６の何れか１項に記載のステープラ。
【請求項８】
前記カートリッジリフトは、リテーナに向いている下面を備えた傾斜突起を有し、前記リテーナは、前記カートリッジリフトに向いている上面を備えた傾斜突起を有し、前記リテーナの前記傾斜突起の前記上面は、前記カートリッジリフトの前記傾斜突起の前記下面と相補するよう形作られるとともに位置決めされている、請求項１乃至７の何れか１項に記載のステープラ。
【請求項９】
前記カートリッジリフトの運動を制止するリフトロックを更に有する、請求項１乃至８の何れか１項に記載のステープラ。
【請求項１０】
前記リテーナおよび前記アンビルは、前記カートリッジが垂直に動いているとき、静止状態のままである、請求項１乃至９の何れか１項に記載のステープラ。
【請求項１１】
前記カートリッジリフトは、前記カートリッジリフトばねが前記カートリッジリフトを近位側の方向に引くことによって付勢される、請求項１乃至１０の何れか１項に記載のステープラ。
【請求項１２】
前記ばねは、当初ロックされ、前記カートリッジリフトは、最も下の垂直位置に位置したままである、請求項１乃至１１の何れか１項に記載のステープラ。
【請求項１３】
前記ばねは、発射操作がいったん始まると、ロック解除される、請求項１乃至１２の何れか１項に記載のステープラ。
【請求項１４】
前記ばねをロックし直すことができない、請求項１乃至１３の何れか１項に記載のステープラ。
【請求項１５】
前記カートリッジリフトは、積極的な垂直力を前記カートリッジに及ぼす、請求項１乃至１４の何れか１項に記載のステープラ。
【請求項１６】
外科用のステープラであって、
アンビルを含む第１のジョーを有し、
複数のステープルを備えたカートリッジを含むとともに近位端から遠位端まで延びる第２のジョーを有し、前記第１のジョーは、前記第２のジョーに近づいたり該第２のジョーから遠ざかったりすることができ、
前記第２のジョーと前記カートリッジとの間に設けられた状態で前記第２のジョーの前記遠位端から遠ざかる近位側への長手方向に付勢されるカートリッジリフトを有する、ステープラ。
【請求項１７】
前記カートリッジは、前記カートリッジリフトが動く単一の方向に対して横の単一の方向にしか動くことができない、請求項１６記載のステープラ。
【請求項１８】
前記アンビルは、動くことができない、請求項１６又は１７記載のステープラ。
【請求項１９】
前記アンビルは、静止している、請求項１６乃至１８の何れか１項に記載のステープラ。
【請求項２０】
前記可動リフトは、リフトばねによって付勢される、請求項１６乃至１９の何れか１項に記載のステープラ。
【請求項２１】
前記リフトばねが動くのを阻止するリフトロックを更に有し、前記リフトロックは、発射操作がいったん始まると、ロック解除されて前記リフトばねを解除する、請求項１６乃至２０の何れか１項に記載のステープラ。
【請求項２２】
前記リフトロックをロックし直すことができない、請求項１６乃至２１の何れか１項に記載のステープラ。
【請求項２３】
前記リフトロックは、ユーザから接近可能ではない、請求項１６乃至２２の何れか１項に記載のステープラ。
【請求項２４】
外科用のステープラであって、
アンビルを含む第１のジョーを有し、
カートリッジを含む第２のジョーを有し、前記第１のジョーは、前記第２のジョーに向かって動くことができ、
上側アームおよび下側アームを有するとともに前記上側アームと前記下側アームとの間に距離を定める作動ビームを有し、前記距離は、調節可能である、ステープラ。
【請求項２５】
前記作動ビームの前記上側アームと前記下側アームとの間に設けられていて、前記上側アームと前記下側アームとの間の前記調節可能な距離を制限するウェブを更に有する、請求項２４記載のステープラ。
【請求項２６】
前記作動ビームの前記上側アームから延びるとともに複数の突出部を含む垂直延長タブおよび、前記作動ビームの前記下側アームから延びる垂直延長タブとを更に有し、該垂直延長タブは、前記作動ビームを前記上側アームの前記垂直延長タブの前記複数の突出部と相互作用するよう配置された複数の突出部を有する、請求項２４又は２５記載のステープラ。
【請求項２７】
前記作動ビームの前記上側アームから横方向に延びる上側タブおよび、前記作動ビームの前記下側アームから横方向に延びる下側タブを更に有し、前記上側タブは、前記作動ビームの前記上側アームと前記下側アームとの間の前記調節可能な距離を制限するために前記下側タブと相互作用するよう位置決めされている、請求項２４乃至２６の何れか１項に記載のステープラ。
【請求項２８】
外科用のステープラであって、
アンビルを含む上側ジョーを有し、
カートリッジを含む下側ジョーを有し、前記下側ジョーは、前記上側ジョーに向かって動くことができ、前記上側ジョーと前記下側ジョーとの間の距離は、調節可能であり、前記ジョーの最も近位側の部分は、前記上側ジョーと前記下側ジョーとの間にほぼゼロの隙間を有する、ステープラ。
【請求項２９】
前記第１のジョーは、該ジョーの近位部分と該ジョーの遠位部分との間にトグルジョーリンクを有する、請求項２８記載のステープラ。
【請求項３０】
前記下側ジョーは、前記上側ジョーに向かって傾けられており、前記下側ジョーは、前記下側ジョーの近位端から遠位端まで漸増する勾配を備えた傾斜面を有する、請求項２８又は２９記載のステープラ。
【請求項３１】
前記カートリッジは、前記下側ジョーに対して長手方向運動が拘束されるとともに前記下側ジョーに対して垂直運動が拘束されない状態で浮動状態にある、請求項２８乃至３０の何れか１項に記載のステープラ。
【請求項３２】
前記上側ジョーは、摺動ピボットに連結されている、請求項２８乃至３１の何れか１項に記載のステープラ。
【発明の詳細な説明】
【技術分野】
【０００１】
本願は、一般に、外科用ステープラ、特に自己調整ステープル高さ機構体、システムおよび／またはプロセスを備えた外科用ステープラに関する。
【０００２】
〔関連出願の説明〕
本願は、２０１４年９月１５日に出願された米国特許出願第６２／０５０，５１３号の権益主張出願であり、この米国特許出願を参照により引用し、この記載内容全体があたかも本明細書に記載されているかのごとく本明細書の一部とする。
【背景技術】
【０００３】
外科用ステープラの中には、調節可能なジョー隙間および成形されるステープルサイズを提供する機構体を有するものがある。しかしながら、かかるステープラは、ユーザ入力を必要とし、組織の評価または測定を必要とし、かかる評価または測定を行うための機構体又はプロセスをなんら提供しておらず、しかも加えられている圧力に対する十分なユーザフィードバックを提供していない。かかるステープラはまた、腹腔鏡下手術と関連した制限、例えばスペースおよびサイズに関する制約を考慮に入れていない。
【０００４】
非腹腔鏡下ステープラの例では、ユーザが閉じ状態のステープルの高さを１．０ｍｍから２．５ｍｍの範囲で手動調整することができるダイアルまたはノブが器具の後部に設けられている。器具はまた、予想「隙間設定値」をユーザに表示しまたは予想ステープル高さを表示する観察窓を有する。他のステープラは、ユーザが閉じステープル高さを１．５ｍｍ、１．８ｍｍ、または２．０ｍｍに手動で選択することができる三位置トグルスイッチを有する。
【０００５】
かくして、かかるステープラは、固定されたジョー隙間高さで発射され、かかるステープラは、ステープラのジョーの中に収まっている組織を全てその特定の高さに圧縮する。幾つかの場合、ユーザは、ユーザの技術、過去のステープル発射の経験、および発射対象の組織の知覚に基づいて用いられるべき特定の高さを備えた特定のステープル再装填量を選択することが求められる。加うるに、本来的にはヒトの臓器の解剖学的構造は、一定のまたは一貫した壁厚を有しておらず、しかも患者によって様々である。疾患のあるまたは炎症のある組織と比較した場合の健常な組織もまた、サイズおよび厚さのばらつきが大きい。したがって、使用のためにどのサイズのステープルを再装填するかの決定は、難しい決定である。また、種々のジョー隙間高さおよびステープルサイズで提供される広汎なステープル再装填量が存在するが、ステープラは、組織厚さについての順応性を提供してはいない。
【０００６】
幾つかのステープラに関し、ステープルサイズは、外科医の組織厚さの知覚（測定器具が提供されておらず、用いられておらず、または想定されていない）に基づき、あるいは同様な組織に関する過去の経験を通じて使用前にユーザによって選択される。しかしながら、患者の体内の特定の臓器の厚さは、他の患者の同様な解剖学的構造に劣らず様々である場合がある。したがって、所与の組織について正確なステープルサイズを選択することは困難であり、所与の組織が所与のステープルについて特定されまたは意図された４つまたは５つの有限サイズのうちの１つの中に収まっているかどうかを判定することは、困難な場合が多い。かかるステープラに関する使用についての取扱説明書は、正確に寸法決めされたステープルを特定の組織厚さ範囲について使用することができるということを示唆している。しかしながら、ユーザには、組織を正確にまたは効率的に測定するための機構またはプロセスが提供されていない。かくして、ステープルサイズの多数の選択が適正なステープルサイズ、組織厚さ、および／または力を特定するための順列組み合わせを増大させるという点で事態が一層複雑になる。
【０００７】
また、ステープラは１つの固定された高さで発射されるので、ステープラは、常時、例えば成形高さが１．５ｍｍであるステープルを送り出すことになる。これは、ユーザが器具の意図した範囲、多くの場合０．５ｍｍ窓に制限される範囲の外側に位置する組織上にステープラを発射するのを選択する場合に問題となる場合がある。したがって、成形ステープルは、組織を捕捉せずまたは組織中に形をなさず、かくして成形ステープルによる組織の意図した封止または閉鎖を提供することはない。それゆえ、成形ステープルは、所与の組織にとっては大きすぎる。加うるに、ステープラの発射に先立つ組織厚さの測定は、役に立たず、しかもかかる測定の有効精度を得るのが困難な場合がある。
【０００８】
したがって、特定の組織厚さについて不正確なステープル高さを有する不正確なステープルサイズを用いると、その結果として、ステープルが正確に成形されず、しかも／あるいはステープルを成形する際に潜在的に他の合併症をもたらす場合のある過剰な圧迫または血流の制限が生じる場合がある。
【発明の概要】
【０００９】
ジョー内に配置された組織のサイズに合わせて自動的に調整を行う自己調整高さ再装填ステープラが提供される。したがって、外科用ステープラは、組織厚さを考慮に入れており、そしてユーザの推量または評価に基づかないで実際の組織厚さに基づいて自動的に調整を行う。かくして、このステープラは、虚血および／または組織損傷を生じさせるほど強くクランプすることなくまたは圧迫することなく、切断線のところにシールおよび止血を提供するのに十分な組織圧迫を提供する。
【００１０】
ステープラは、ユーザが例えステープル留めされるべき組織にとって大きすぎるステープルサイズまたはカートリッジを選択してもジョー隙間補正を可能にする。それゆえ、ステープラは、単一のあらかじめ定められた有限高さで発射するのではなく、最大ジョー隙間高さ（例えば、０．０３７インチ／０．０３８インチ（０．９４４ｍｍ／０．９６５ｍｍ））と最小ジョー隙間高さ（例えば、０．０１７インチ／０．０１８インチ（０．４３２ｍｍ／０．４７５ｍｍ））との間で任意の組織に適合する能力を備える。
【００１１】
ステープラは、ステープルを組織厚さに基づいて特定の組織について特定のステープル高さで成形する。ステープラは、ジョー内で圧縮されている組織からの圧力‐力フィードバックを用いて適正なステープル高さ（成形後におけるステープルの高さ）を調整するとともに設定する。組織と接触状態にあるステープラのジョーは、組織厚さを検出してこれに応動し、そしてそれに応じてステープル高さを調整して器具によって捕捉された各組織について器具の各発射のための理想的な閉じステープル高さを提供することができる。
【００１２】
種々の実施形態では、ステープルカートリッジおよび／またはステープル成形をあるサイズ範囲（例えば、ジョー隙間および／または閉じステープル高さ）内で自動的に調整する一方向ばね押しリフトを有するステープラが提供される。リフトは、ステープル発射機構体が発射シーケンスのその前方並進を始めると自動的に解除される。自動的一方向調整はまた、ステープルカートリッジを調整する一方で、カートリッジをアンビルに平行に維持して一貫したステープル成形を提供する。種々の実施形態では、外科用ステープラは、自動垂直調整式ステープルカートリッジを有する。
【００１３】
種々の実施形態では、外科用ステープラは、アンビルを含む第１のジョーと、複数のステープルを収容したカートリッジを含む第２のジョーとを有し、第１のジョーは、第２のジョーに近づいたりこの第２のジョーから遠ざかったりすることができる。外科用ステープラは、第２のジョーとカートリッジとの間に設けられたカートリッジリフトを更に有し、リフトは、リフトが長手方向に動いている間、カートリッジを第１のジョーに向かって動かすよう配置されている。
【００１４】
種々の実施形態では、外科用ステープラは、アンビルを含む第１のジョーと、複数のステープルを収容するカートリッジを含むとともに近位端から遠位端まで延びる第２のジョーとを有し、第１のジョーは、第２のジョーに近づいたりこの第２のジョーから遠ざかったりすることができる。外科用ステープラは、第２のジョーとカートリッジとの間に設けられた状態で第２のジョーの遠位端から遠ざかる近位側への長手方向に付勢されるカートリッジリフトを有する。
【００１５】
種々の実施形態では、外科用ステープラは、アンビルを含む第１のジョーと、カートリッジを含む第２のジョーとを有し、第１のジョーは、第２のジョーに向かって動くことができる。外科用ステープラは、上側アームおよび下側アームを有するとともに上側アームと下側アームとの間に距離を定める作動ビームを更に有し、距離は、調節可能である。
【００１６】
種々の実施形態では、外科用ステープラは、アンビルを含む上側ジョーと、カートリッジを含む下側ジョーとを有する。下側ジョーは、上側ジョーに向かって動くことができ、上側ジョーと下側ジョーとの間の距離は、調節可能である。ジョーの最も近位側の部分は、上側ジョーと下側ジョーとの間にほぼゼロの隙間を有する、ステープラ。
【００１７】
本発明のこれらの特徴および他の特徴は、関連の図面を参照して行われる実施形態の説明により明らかになろう。
【００１８】
本発明は、添付の図面と関連して行われる以下の説明を参照すると理解でき、添付の図面のうちの図全体を通じて、同一の参照符号は、同一の部分を示している。
【図面の簡単な説明】
【００１９】
【図１Ａ】本発明の種々の実施形態としての外科用ステープラのステープル・トランセクタ（横切器）レセプタクル。
【図１Ｂ】本発明の実施形態による外科用ステープラのアクチュエータの側面図である。
【図２Ａ】本発明の種々の実施形態としての外科用ステープラのステープル・トランセクタレセプタクルの斜視図である。
【図２Ｂ】本発明の種々の実施形態としての外科用ステープラのステープル・トランセクタレセプタクルの側面図である。
【図３Ａ】本発明の種々の実施形態としての外科用ステープラのステープル・トランセクタレセプタクルの斜視図である。
【図３Ｂ】本発明の種々の実施形態としての外科用ステープラのステープル・トランセクタレセプタクルの側面図である。
【図４】本発明の種々の実施形態としての外科用ステープラのステープル・トランセクタレセプタクルの分解組立て図である。
【図５】本発明の種々の実施形態としての外科用ステープラのステープル・トランセクタレセプタクルの分解組立て図である。
【図６】本発明の種々の実施形態としての外科用ステープラのステープル・トランセクタレセプタクルの分解組立て図である。
【図７Ａ】本発明の種々の実施形態としての外科用ステープラのステープル・トランセクタレセプタクルの分解組立て図である。
【図７Ｂ】本発明の種々の実施形態としての外科用ステープラのステープル・トランセクタレセプタクルの分解組立て図である。
【図８Ａ】本発明の種々の実施形態によるステープルプッシャの平面図である。
【図８Ｂ】本発明の種々の実施形態によるステープルプッシャの斜視図である。
【図８Ｃ】本発明の種々の実施形態によるステープルプッシャの斜視図である。
【図９Ａ】本発明の種々の実施形態としての外科用ステープラのステープル・トランセクタレセプタクルの斜視図である。
【図９Ｂ】本発明の種々の実施形態としての外科用ステープラのステープル・トランセクタレセプタクルの斜視図である。
【図１０Ａ】本発明の種々の実施形態としての外科用ステープラのステープル・トランセクタレセプタクルの斜視図である。
【図１０Ｂ】本発明の種々の実施形態としての外科用ステープラのステープル・トランセクタレセプタクルの斜視図である。
【図１１Ａ】本発明の種々の実施形態としての外科用ステープラのステープル・トランセクタレセプタクルの正面図である。
【図１１Ｂ】本発明の種々の実施形態としての外科用ステープラのステープル・トランセクタレセプタクルの側面断面図である。
【図１２Ａ】本発明の種々の実施形態としての外科用ステープラのステープル・トランセクタレセプタクルの正面図である。
【図１２Ｂ】本発明の種々の実施形態としての外科用ステープラのステープル・トランセクタレセプタクルの側面断面図である。
【図１３Ａ】本発明の種々の実施形態としての外科用ステープラのステープル・トランセクタレセプタクルの側面断面図である。
【図１３Ｂ】本発明の種々の実施形態としての外科用ステープラのステープル・トランセクタレセプタクルの側面断面図である。
【図１４Ａ】本発明の種々の実施形態としての外科用ステープラのステープル・トランセクタレセプタクルの側面断面図である。
【図１４Ｂ】本発明の種々の実施形態としての外科用ステープラのステープル・トランセクタレセプタクルの側面断面図である。
【図１５Ａ】本発明の種々の実施形態としての外科用ステープラのステープル・トランセクタレセプタクルの幾つかの部分の斜視図である。
【図１５Ｂ】本発明の種々の実施形態としての外科用ステープラのステープル・トランセクタレセプタクルの幾つかの部分の側面断面図である。
【図１６Ａ】本発明の種々の実施形態としての外科用ステープラのステープル・トランセクタレセプタクルの幾つかの部分の斜視図である。
【図１６Ｂ】本発明の種々の実施形態としての外科用ステープラのステープル・トランセクタレセプタクルの幾つかの部分の側面断面図である。
【図１７Ａ】本発明の種々の実施形態としての外科用ステープラのステープル・トランセクタレセプタクルの遠位端部の斜視図である。
【図１７Ｂ】本発明の種々の実施形態としての外科用ステープラのステープル・トランセクタレセプタクルの近位端部の斜視図である。
【図１７Ｃ】本発明の種々の実施形態としての外科用ステープラのステープル・トランセクタレセプタクルの遠位端部の斜視図である。
【図１７Ｄ】本発明の種々の実施形態としての外科用ステープラのステープル・トランセクタレセプタクルの近位端部の斜視図である。
【図１８】本発明の種々の実施形態としての外科用ステープラのステープル・トランセクタレセプタクルのアクチュエータの斜視図である。
【図１９】本発明の種々の実施形態としての外科用ステープラのステープル・トランセクタレセプタクルのアクチュエータの側面図である。
【図２０】本発明の種々の実施形態としての外科用ステープラのステープル・トランセクタレセプタクルのアクチュエータの側面図である。
【図２１】本発明の種々の実施形態としての外科用ステープラのステープル・トランセクタレセプタクルのアクチュエータの斜視図である。
【図２２】本発明の種々の実施形態としての外科用ステープラのステープル・トランセクタレセプタクルのアクチュエータの側面図である。
【図２３】本発明の種々の実施形態としての外科用ステープラのステープル・トランセクタレセプタクルのアクチュエータの側面図である。
【図２４】本発明の種々の実施形態としての外科用ステープラのステープル・トランセクタレセプタクルのアクチュエータの斜視図である。
【図２５】本発明の種々の実施形態としての外科用ステープラのステープル・トランセクタレセプタクルのアクチュエータの側面図である。
【図２６】本発明の種々の実施形態としての外科用ステープラのステープル・トランセクタレセプタクルのアクチュエータの側面図である。
【図２７】本発明の種々の実施形態としての外科用ステープラのステープル・トランセクタレセプタクルのアクチュエータの斜視図である。
【図２８】本発明の種々の実施形態としての外科用ステープラのステープル・トランセクタレセプタクルのアクチュエータの側面図である。
【図２９】本発明の種々の実施形態としての外科用ステープラのステープル・トランセクタレセプタクルのアクチュエータの側面図である。
【図３０】本発明の種々の実施形態としての外科用ステープラのステープル・トランセクタレセプタクルのアクチュエータの斜視図である。
【図３１】本発明の種々の実施形態としての外科用ステープラのステープル・トランセクタレセプタクルのアクチュエータの側面図である。
【図３２】本発明の種々の実施形態としての外科用ステープラのステープル・トランセクタレセプタクルのアクチュエータの側面図である。
【図３３】本発明の種々の実施形態としての外科用ステープラのステープル・トランセクタレセプタクルのアクチュエータの斜視図である。
【図３４】本発明の種々の実施形態としての外科用ステープラのステープル・トランセクタレセプタクルのアクチュエータの側面図である。
【図３５】本発明の種々の実施形態としての外科用ステープラのステープル・トランセクタレセプタクルのアクチュエータの側面図である。
【図３６】本発明の種々の実施形態としての外科用ステープラのステープル・トランセクタレセプタクルのアクチュエータの斜視図である。
【図３７】本発明の種々の実施形態としての外科用ステープラのステープル・トランセクタレセプタクルのアクチュエータの側面図である。
【図３８】本発明の種々の実施形態としての外科用ステープラのステープル・トランセクタレセプタクルのアクチュエータの側面図である。
【図３９】本発明の種々の実施形態としての外科用ステープラのステープル・トランセクタレセプタクルのアクチュエータの斜視図である。
【図４０】本発明の種々の実施形態としての外科用ステープラのステープル・トランセクタレセプタクルのアクチュエータの側面図である。
【図４１】本発明の種々の実施形態としての外科用ステープラのステープル・トランセクタレセプタクルのアクチュエータの側面図である。
【図４２】本発明の種々の実施形態としての外科用ステープラのアクチュエータの斜視図である。
【図４３】本発明の種々の実施形態としての外科用ステープラのアクチュエータの側面図である。
【図４４】本発明の種々の実施形態としての外科用ステープラのアクチュエータの側面図である。
【図４５Ａ】本発明の種々の実施形態としての外科用ステープラのステープル・トランセクタレセプタクルの斜視図である。
【図４５Ｂ】本発明の種々の実施形態としての外科用ステープラのアクチュエータの斜視図である。
【図４５Ｃ】本発明の種々の実施形態としての外科用ステープラのステープル・トランセクタレセプタクルの斜視図である。
【図４５Ｄ】本発明の種々の実施形態としての外科用ステープラのアクチュエータの斜視図である。
【図４６】本発明の種々の実施形態としての外科用ステープラのアクチュエータの斜視図である。
【図４７】本発明の種々の実施形態としての外科用ステープラのアクチュエータの斜視図である。
【図４８】本発明の種々の実施形態としての外科用ステープラのアクチュエータの分解組立て図である。
【図４９】本発明の種々の実施形態としての外科用ステープラのアクチュエータの側面図である。
【図５０Ａ】本発明の種々の実施形態としての外科用ステープラのステープル・トランセクタレセプタクルの幾つかの部分の側面断面図である。
【図５０Ｂ】本発明の種々の実施形態としての外科用ステープラのステープル・トランセクタレセプタクルの幾つかの部分の側面断面図である。
【図５１Ａ】本発明の種々の実施形態としての外科用ステープラのステープル・トランセクタレセプタクルの幾つかの部分の側面断面図である。
【図５１Ｂ】本発明の種々の実施形態としての外科用ステープラのステープル・トランセクタレセプタクルの幾つかの部分の側面断面図である。
【図５１Ｃ】本発明の種々の実施形態としての外科用ステープラのステープル・トランセクタレセプタクルの幾つかの部分の側面断面図である。
【図５２Ａ】本発明の種々の実施形態としての外科用ステープラのステープル・トランセクタレセプタクルの幾つかの部分の側面断面図である。
【図５２Ｂ】本発明の種々の実施形態としての外科用ステープラのステープル・トランセクタレセプタクルの幾つかの部分の側面断面図である。
【図５３Ａ】本発明の種々の実施形態としてのステープルの側面図である。
【図５３Ｂ】本発明の種々の実施形態としてのステープルの側面図である。
【図５４】本発明の種々の実施形態としての外科用ステープラのステープル・トランセクタレセプタクルの幾つかの部分の正面断面図である。
【図５５Ａ】本発明の種々の実施形態としての外科用ステープラのステープル・トランセクタレセプタクルのアクチュエータの側面図である。
【図５５Ｂ】本発明の種々の実施形態としての外科用ステープラのステープル・トランセクタレセプタクルのアクチュエータの側面図である。
【図５６Ａ】本発明の種々の実施形態としてのステープルの側面図である。
【図５６Ｂ】本発明の種々の実施形態としてのステープルの側面図である。
【図５６Ｃ】本発明の種々の実施形態としてのステープルの側面図である。
【図５７Ａ】本発明の種々の実施形態としての外科用ステープラのステープル・トランセクタレセプタクルの幾つかの部分の斜視図である。
【図５７Ｂ】本発明の種々の実施形態としての外科用ステープラのステープル・トランセクタレセプタクルの幾つかの部分の斜視図である。
【図５８Ａ】本発明の種々の実施形態としての外科用ステープラのステープル・トランセクタレセプタクルの幾つかの部分の斜視図である。
【図５８Ｂ】本発明の種々の実施形態としての外科用ステープラのステープル・トランセクタレセプタクルの幾つかの部分の斜視図である。
【図５９Ａ】本発明の種々の実施形態としての外科用ステープラのステープル・トランセクタレセプタクルの幾つかの部分の正面断面図である。
【図５９Ｂ】本発明の種々の実施形態としての外科用ステープラのステープル・トランセクタレセプタクルの幾つかの部分の正面断面図である。
【図６０】本発明の種々の実施形態としての外科用ステープラのステープル・トランセクタレセプタクルの幾つかの部分の分解組立て図である。
【図６１Ａ】本発明の種々の実施形態としての外科用ステープラのステープル・トランセクタレセプタクルの幾つかの部分の側面断面図である。
【図６１Ｂ】本発明の種々の実施形態としての外科用ステープラのステープル・トランセクタレセプタクルの側面図である。
【図６２Ａ】本発明の種々の実施形態としての外科用ステープラのステープル・トランセクタレセプタクルの下から見た斜視図である。
【図６２Ｂ】本発明の種々の実施形態としての外科用ステープラのステープル・トランセクタレセプタクルの斜視図である。
【図６３Ａ】本発明の種々の実施形態としての外科用ステープラのステープル・トランセクタレセプタクルの側面断面図である。
【図６３Ｂ】本発明の種々の実施形態としての外科用ステープラのステープル・トランセクタレセプタクルの側面断面図である。
【図６４Ａ】本発明の種々の実施形態としての外科用ステープラのステープル・トランセクタレセプタクルの斜視図である。
【図６４Ｂ】本発明の種々の実施形態としての外科用ステープラのステープル・トランセクタレセプタクルの斜視図である。
【図６５Ａ】本発明の種々の実施形態としての外科用ステープラのステープル・トランセクタレセプタクルの一部分の斜視図である。
【図６５Ｂ】本発明の種々の実施形態としての外科用ステープラのステープル・トランセクタレセプタクルの一部分の斜視図である。
【図６６Ａ】本発明の種々の実施形態としての外科用ステープラのステープル・トランセクタレセプタクルの一部分の側面図である。
【図６６Ｂ】本発明の種々の実施形態としての外科用ステープラのステープル・トランセクタレセプタクルの一部分の側面図である。
【図６７Ａ】本発明の種々の実施形態としての外科用ステープラのステープル・トランセクタレセプタクルの一部分の側面図である。
【図６７Ｂ】本発明の種々の実施形態としての外科用ステープラのステープル・トランセクタレセプタクルの一部分の側面図である。
【図６８Ａ】本発明の種々の実施形態としての外科用ステープラのステープル・トランセクタレセプタクルの側面断面図である。
【図６８Ｂ】本発明の種々の実施形態としての外科用ステープラのステープル・トランセクタレセプタクルの下から見た斜視図である。
【図６９Ａ】本発明の種々の実施形態としての外科用ステープラのステープル・トランセクタレセプタクルの幾つかの部分の下から見た斜視図である。
【図６９Ｂ】本発明の種々の実施形態としての外科用ステープラのステープル・トランセクタレセプタクルの幾つかの部分の下から見た斜視図である。
【図７０Ａ】本発明の種々の実施形態としての外科用ステープラのステープル・トランセクタレセプタクルの側面断面図である。
【図７０Ｂ】本発明の種々の実施形態としての外科用ステープラのステープル・トランセクタレセプタクルの側面断面図である。
【図７１】本発明の種々の実施形態としての外科用ステープラのステープル・トランセクタレセプタクルの側面断面図である。
【図７２Ａ】本発明の種々の実施形態としての外科用ステープラのステープル・トランセクタレセプタクルの幾つかの部分の側面図である。
【図７２Ｂ】本発明の種々の実施形態としての外科用ステープラのステープル・トランセクタレセプタクルの幾つかの部分の側面図である。
【図７３】本発明の種々の実施形態としての外科用ステープラのステープル・トランセクタレセプタクルの幾つかの部分の側面図である。
【図７４】本発明の種々の実施形態としての外科用ステープラのステープル・トランセクタレセプタクルの幾つかの部分の側面図である。
【図７５Ａ】本発明の種々の実施形態としての外科用ステープラのステープル・トランセクタレセプタクルの幾つかの部分の正面図である。
【図７５Ｂ】本発明の種々の実施形態としての外科用ステープラのステープル・トランセクタレセプタクルの幾つかの部分の側面図である。
【図７５Ｃ】本発明の種々の実施形態としての外科用ステープラのステープル・トランセクタレセプタクルの幾つかの部分の正面図である。
【図７５Ｄ】本発明の種々の実施形態としての外科用ステープラのステープル・トランセクタレセプタクルの幾つかの部分の側面図である。
【図７６】本発明の種々の実施形態としての外科用ステープラのステープル・トランセクタレセプタクルの正面断面図である。
【図７７Ａ】本発明の種々の実施形態としての外科用ステープラのステープル・トランセクタレセプタクルの側面図である。
【図７７Ｂ】本発明の種々の実施形態としての外科用ステープラのステープル・トランセクタレセプタクルの側面図である。
【図７８Ａ】本発明の種々の実施形態としての外科用ステープラのステープル・トランセクタレセプタクルの側面図である。
【図７８Ｂ】本発明の種々の実施形態としての外科用ステープラのステープル・トランセクタレセプタクルの側面図である。
【図７９Ａ】本発明の種々の実施形態としての外科用ステープラのステープル・トランセクタレセプタクルの平面図である。
【図７９Ｂ】本発明の種々の実施形態としての外科用ステープラのステープル・トランセクタレセプタクルの側面図である。
【図７９Ｃ】本発明の種々の実施形態としての外科用ステープラのステープル・トランセクタレセプタクルの側面図である。
【発明を実施するための形態】
【００２０】
種々の実施形態によれば、外科用ステープラが提供される。このステープラは、種々の実施形態において一方向垂直調整可能ステープルカートリッジを有する。ステープラは、ステープルカートリッジを保持する第１のジョーおよびアンビルを保持する第２のジョーを有する。これらのジョーおよびシャフトは、多くても１２ｍｍの内径を定めるカニューレ中に嵌まるよう寸法決めされている。シャフトは、ジョーとアクチュエータとの間に位置決めされている。アクチュエータにより、ユーザ、例えば外科医は、ハンドル、レバー、スイッチまたは他の作動的に接近可能なアクチュエータを操作してジョーを開閉し、それにより組織を把持し、ジョーを端から端まで関節運動させ、ステープルをステープルカートリッジから発射して把持状態の組織中に留めるとともにジョー相互間の組織を切断する。垂直調整式ステープルカートリッジは、自動的であってユーザとの連係を利用せず、ジョーを閉じた後、垂直の一様な圧縮力を組織に向かって及ぼしてこれに加えてアンビルに押し付ける。一実施形態では、垂直調整式機構体は、ジョーが閉じられた後にだけ作動され、発射しないまたは発射を停止させる機能なしで発射機構体がイネーブルにされるとともに発射が開始される。これは、望ましくない組織圧迫または外傷を阻止する。
【００２１】
垂直調整式機構体は、ステープルカートリッジを側‐側ではなくアンビルに向かって垂直方向にのみ駆動しまたはウォブリングが許容される。加うるに、種々の実施形態では、ステープルカートリッジは、組織またはアンビルから遠ざかるのではなく組織およびアンビルに向かってのみ動くことができる。したがって、垂直調整式機構体がいったん作動されると、ステープルカートリッジは、一方向にのみ動くことができる。
【００２２】
図１〜図７９を参照すると、種々の実施形態によれば、外科用ステープラが提供される。種々の図示の実施形態では、外科用ステープラは、ステープル・トランセクタレセプタクル（ＳＴＲ）１０に取り外し可能に連結されたアクチュエータ２を有する。ＳＴＲは、細長いシャフト１４の遠位端のところに位置する上側可動ジョー１１および下側静止ジョー１２を有する。上側ジョー１１は、アンビル９を有するよう構成され、下側ジョーは、ステープルカートリッジ５を有するよう構成されている。細長いシャフト１４の近位端部のところには、アクチュエータインターフェース１５が設けられている。アクチュエータインターフェースは、ＳＴＲ１０をアクチュエータ２に連結したりこれから連結解除したりする。アクチュエータ２は、ユーザによって回されると、細長いシャフト１４およびかくしてジョー１１，１２を回転させるローテータ１６を有する。アクチュエータ２は、静止ハンドルまたはハンドルベースまたは基部２２に連結されたトリガまたは可動ハンドル２１を更に有する。一実施形態では、ハンドルベースは、ハンドルベース２２を形成するよう互いに結合する２つの半部を有する。トリガ２１は、以下に詳細に説明する特定の条件下において、ユーザによって操作されると、ジョー１１，１２の開閉、ステープルの発射、ブレードの並進およびステープルカートリッジの垂直調整をもたらす。一実施形態では、上側ジョーと下側ジョーの両方は、互いに対して動き、一実施形態では、下側ジョーは、動き、他方上側ジョーは、静止状態のままである。
【００２３】
上側ジョー１１は、ステープルカートリッジ５から順次突き出された複数のステープル６を成形するためのアンビル９を有する。上側ジョー１１は、上側の外側カバー９１に回動可能に結合されており、この上側の外側カバーは、下側の外側カバー９２に連結されている。上側ジョー１１は、上側ジョーを開きまたは離隔状態に付勢するジョーばね９３を有する。下側の外側カバー９２は、リテーナ１２１に連結されている。リテーナ１２１は、リテーナに取り付けられるとともに複数の傾斜突起８１を有する傾斜路８０を保持する。リテーナ１２１はまた、複数の傾斜突起８３を備えた可動カートリッジプラットホームまたはリフト８２を収容し、傾斜突起８３は、傾斜路８０の複数の斜面８１と対応関係をなして結合する。ステープルカートリッジ５は、カートリッジリフト８２の上に載る。カートリッジリフト８２を長手方向かつ近位側に動かすと（例えば、矢印Ｈで示されているように）、カートリッジリフト８２の傾斜突起８３は、傾斜路８０の傾斜突起８１上で摺動し、それによりカートリッジ５を垂直に（例えば、矢印Ｖで示されているように）動かしまたはＳＴＲ１０の長手方向軸線１に対して横の（例えば、これに垂直な）方向に動かす。
【００２４】
ステープルカートリッジ５は、複数のステープルポケット内に位置する複数のステープル６およびこれに対応した１組のステープルプッシャ７を有する。スライダ１７に設けられた１組のフィン１７１とステープルプッシャの相互作用により、ステープルは、ステープルカートリッジ５から発射されまたは突き出される。カートリッジ５内のステープルは、かくして、カートリッジのステープルポケット内のステープルプッシャと相互作用するスライダの長手方向運動により発射される。発射されたステープルは、ジョー１１，１２相互間にクランプされた組織を穿通してアンビル９に設けられているアンビルポケットに当たって成形される。スライダ１７は、作動ビーム１８に作動的に連結されている。作動ビーム１８は、ブレード１９を有し、この作動ビームは、作動スライダ１８０に連結されている。一実施形態では、作動スライダ１８０は、近位作動スライダ１８１が遠位作動スライダ１８２に結合されたものである。遠位作動スライダ１８２は、近位作動スライダ１８１に垂直であり、両方のスライダは、ＳＴＲ１０の長手方向軸線１に平行に延びている。図示の実施形態では、近位作動スライダと遠位作動スライダの交線は、断面で見て、十字形を形成する。
【００２５】
作動ビーム１８は、上側ジョー１１に設けられた長手方向スロットまたはチャネル内で動くよう構成された上側案内またはルーフ１８３および下側ジョー１２に設けられた長手方向スロットまたはチャネル内で動くよう構成された下側案内またはフロア１８４を有する。同様に、ステープルカートリッジ５、カートリッジリフト８２およびリテーナ１２１は、下側案内１８４を挿通させる長手方向チャネルを有する。作動ビームの上側および下側案内は、ジョー１１，１２の閉じの互いに平行なジョー整列および圧縮を保証する。
【００２６】
作動スライダ１８１，１８２は、作動カバー管１８５によって包囲され、この作動カバー管１８５は、開口部１８６を有し、ＳＴＲ再使用ロックアウト４１が作動カバー管１８５の開口部１８６を通って板ばね４２によって付勢される。作動カバー管は、作動スライダ１８１，１８２の整列および並進運動を保証するためのスロットまたは案内を有する。
【００２７】
外側管９４が作動カバー管１８５を包囲しており、この外側管は、アクチュエータインターフェース１５にこのインターフェースの互いに反対側の側部に設けられた１対の互いに反対側の突出部により結合され、それによりＳＴＲカプラ１５１への取り外し可能な連結が可能になっている。カプラばね１５２がロータを遠位側の方向に付勢するようロータとＳＴＲカプラとの間に位置決めされており、その結果、近位側の方向におけるロータの運動によりばねが圧縮されてカプラ１５１およびアクチュエータインターフェース１５への取り外し可能な連結を可能にするカプラへの連結部が露出されるようになっている。作動カバー管１８５および作動スライダ１８１，１８２に平行に延びた状態で関節運動ビーム５１が設けられている。関節運動ビーム５１は、上側および下側の外側カバー９１，９２に連結されていて、一実施形態では、作動カバー管１８５のスロット内に嵌まり込んでこの中で浮かんで動く近位端部を有する。
【００２８】
アクチュエータ２は、取り外し可能に結合されたＳＴＲ１０に作動可能に連結され、このアクチュエータは、ジョー１１，１２を開閉形態から一方向の自動的な自己調整ステープル留めに作動させ、または作動ビーム１８の前方または後方（遠位側または近位側）への駆動または操作により前方形態から逆形態に作動させる。図１７〜図４６は、特に、種々の実施形態に従って種々の作動状態で内側の仕組みが取り付けられているアクチュエータ２を示している。例えば、図１７Ａおよび図１７Ｂは、ステープラをそのジョーが開きまたは初期形態にある状態で示し、図１７Ｃおよび図１７Ｄは、ステープラをそのジョーが閉じられているが、未発射のまたは非発射形態にある状態で示している。
【００２９】
ステープラの初期位置では、作動ビーム１８は、その最も近位側の移動位置に位置決めされ、ジョー１１，１２は、開き形態または位置にある。作動ビームは、細長いシャフト１４の長手方向軸線１に沿う作動ビームの遠位側への並進時に上側ジョー１１に係合する。作動ビームを初期位置から第１の規定の長手方向距離（例えば、０．２２５インチ（５．７１５ｍｍ））遠位側に並進させると、ジョーを開き位置から閉じ位置に作動させることができる。ジョーが閉じ形態にある状態で、ジョーばねがジョーを開き状態に付勢し、同じ第１の距離を移動してジョーを開き位置に戻すことによって影響を受けて作動ビームを近位側に戻すことができる。アクチュエータ２のトリガ２１は、トリガを絞ると、ジョーが閉じ、トリガを押し開きまたは一実施形態では解除すると、ジョーが開くよう作動ビームに作動的に結合されている。一実施形態では、トリガ２１は、作動ビーム１８に作動的に連結された作動ロッド６２に設けられている溝または切欠き７１と係合可能な頂部または歯を備えた前方遠位ピボット爪２５に連結されている。前方遠位ピボット爪と作動ロッドの溝７１との係合は、トリガをハンドルベースに向かって回動させたときに作動ロッドを遠位側の方向に動かすのを助ける。遠位側の方向への作動ロッドのかかる運動により、作動ビーム１８が遠位側の方向に動かされ、それによりジョーが閉じる。
【００３０】
同様に、一実施形態では、トリガ２１は、作動ビーム１８に作動的に連結された作動ロッド６２に設けられている溝または切欠き７２と係合可能な先端部または歯を備えた前方近位ピボット爪２８に連結されている。前方近位ピボット爪と作動ロッドの溝７２の係合は、トリガを回動させてハンドルベースから遠ざけまたは解除しているときに作動ロッドを近位側の方向に動かすのを助ける。近位側の方向への作動ロッドのかかる運動により、ジョーが開くことができる。トリガ２１は、ばねによって付勢され、それによりトリガは、トリガが回動されてハンドルベースから遠ざけられた状態で、付勢されて初期又は開き位置に戻される。前方遠位ピボット爪２５および前方近位ピボット爪２８は、トリガ２１に回動可能に連結され、一実施形態では、“Ｖ”を形成しまたはこれに似た形をとり、遠位ピボット爪２５は、近位ピボット爪２８の方向とは逆の方向に延びる。遠位ピボット爪２５と作動的に係合可能な溝または切欠き７１は、作動ロッドの遠位端部の近くに位置しかつ近位ピボット爪２８と作動的に係合可能な溝７２から見て遠くに位置する。ユーザによって所望されるままに開閉操作を多数回にわたって繰り返すことができ、それにより例えば所与の外科的処置の場合、組織を把持しまたは切開することができる。
【００３１】
種々の実施形態では、ＳＴＲ認識筒３１がＳＴＲ１０をアクチュエータ２に取り付けていない場合には発射操作の作動または動きを阻止する。しかしながら、アクチュエータ２のトリガ２１の動きまたは関節運動は、阻止されない。アクチュエータの動きを可能にすることにより、アクチュエータの包装および試験を助けることができる。加うるに、これにより、ステープルを発射するための機能または使用の有無を問わず、把持および／または関節運動を必要とする場合のある他の前側端部作動ユニットの取り付けを可能にし、それによりアクチュエータ２の融通性を高めることができる。種々の実施形態では、ＳＴＲの取り付けにより認識筒３１が近位側に動き、それにより認識ばねに結合されているＳＴＲ認識ばね３２を圧縮する。ばね３２は、認識筒を遠位側に付勢し、一実施形態では、このばねは、作動筒５５の外面およびばね３２を包囲した認識筒の内面に結合されるとともにこれらの間に捕捉されている。認識筒、ばねおよび関節運動筒を同軸に整列させる。認識筒の運動により、筒に連結されている第１のコネクタアーム３３が動かされる。一実施形態では、コネクタアーム３３は、認識筒の近位端部に取り付けられた遠位端部を有し、コネクタアーム３３の遠位端部に設けられた切欠きが認識筒の近位端部の周りに設けられた周囲フランジと係合する。コネクタアーム３３の近位端部は、アーミング（発射準備）ハブ６１にこのアーミングハブに設けられている切欠きまたはスロットを介して摺動可能に結合されたフランジを有する。コネクタアーム３３のフランジがアーミングハブ６１のスロット内に配置された状態では、アーミングハブ６１の回転運動が阻止される。以下に詳細に説明するように、アーミングハブ６１の回転運動により作動ロッド６２が回転し、それによりロッドとトリガの相互作用がステープルを発射しまたはジョーを開閉することができる。
【００３２】
アーミングハブ６１はまた、発射ボタン６０に連結され、この発射ボタンにより、ユーザは、ステープラを発射モードまたは逆モードに設定することができ、発射ボタンの作動の度に、ロッドが回転して対応の操作のためのそれぞれの操作位置に至る。したがって、アーミングハブ６１のスロット内に設けられたコネクタアーム３３は、アーミングアームの回転運動を阻止し、それによっても発射ボタンの作動を阻止し、かくしてステープラの操作の切り替えを阻止する。ＳＴＲがアクチュエータに取り付けられているので、ハンドル組立体の操作全体が回復されまたは進むようにされる。一実施形態では、二股状作動ロッド、例えば近位作動ロッド６３および遠位作動ロッド６４は、ステープラの作動を行わないでローテータ１６を介してユーザによる回転運動を可能にする。
【００３３】
作動ロッド６２の遠位端部は、ＳＴＲの作動スライダに取り外し可能に結合されている。一実施形態では、作動ロッドの遠位端部は、スロット形態を有し、このスロット形態は、作動スライダに設けられている対応の番い関係をなすフランジを受け入れてこれをねじって作動スライダ１８０への作動ロッドの取り外し可能な番い関係をなす連結状態にロックするよう構成されている。したがって、作動ロッドの並進運動により、これまた作動スライダが並進する。
【００３４】
トリガを絞ることによってジョー１１，１２をいったん完全に閉じると、ユーザは、アクチュエータの前方または発射ボタン６０を押してハンドルのモードを発射および自己調整機構体が作動される前方形態に変更することができる。
【００３５】
上述したように、一実施形態では、発射ボタン６０を作動させるには必ずＳＴＲが取り付けられなければならない。一実施形態では、発射ボタン６０もまた、作動ロッドが規定の第１の距離遠位側に移動するまで作動させることができない。種々の実施形態によれば、例えば図２７〜図２９に示されているように、ＳＴＲが取り付けられるとともにジョーが完全に閉じられた状態でトリガ２１をいったん解除すると、ステープルが発射されるまではジョーを再び開くことができない。
【００３６】
いったん第１の作動形態に位置すると、トリガの作動により作動ビームが遠位側に（すなわち、一方向にのみ）駆動される。一実施形態では、トリガの最初の絞りはまた、自己調整高さ機構体を作動させてジョー相互間の隙間をサイズ変更する。一実施形態では、下側ジョー１２のカートリッジリフト８２が作動し、それによりカートリッジが持ち上がるようにし、または垂直方向にのみ動いてジョー内の組織に合わせて自己調整する。一実施形態では、この時点で、ＳＴＲ再使用ロック４１もまた作動されることになる。このＳＴＲ再使用ロック４１は、ユーザが不注意により先に使用したＳＴＲを発射させようとするのを阻止するためにＳＴＲが発射モードに一度しか配置されないようにする。ＳＴＲがいったん開閉または初期位置に戻ると、ＳＴＲ再使用ロック４１は、ＳＴＲが再び発射するのを阻止する。トリガをそれ以上作動させると、作動ビームが更に前方に駆動されてステープルを順次突き出すとともに閉じ状態のジョー相互間に把持された組織を横切する。
【００３７】
一実施形態では、スライダ１７は、２つ以上の傾斜フィン１７１を有し、このスライダは、ステープルプッシャ７に順次接触してステープルカートリッジ５内のステープル６を突き出すよう長手方向に動くことができる。長手方向に動くことができる作動ビーム１８がスライダを遠位側にかつ長手方向に動かす。スライダは、一実施形態では、連結されず、このスライダは、作動ビームへの取り付けのためのキー、フックまたはキャビティを備えていない。したがって、スライダは、長手方向遠位側にのみ動くことができ、このスライダは、作動ビームの運動によってはこの近位または初期位置に後退することができずまたは戻ることができずまたはこれに向かって動くことができない。しかしながら、作動ビーム１８は、その近位または初期位置に戻ることができまたはこれに向かって動くことができる。したがって、一実施形態では、これにより、プッシャ７は、スライダの長手方向運動により垂直に部分的に突き出されまたは動かされた後、ステープルカートリッジ内に落ちて戻ることができる。カートリッジ中へのこの戻り運動により、組織に対する潜在的な外傷、ステープルまたは組織への潜在的なくっつきが軽減し、かくして、ジョー相互間からの組織の取り出しを可能にするためのステープルカートリッジの全体として滑らかな表面が得られる。
【００３８】
加うるに、作動ビームがその近位または初期位置に戻りまたはこれに向かって動き、次に戻ることが同時に許容されまたは制約がなくなることにより、切断ブレード１９が作動ビーム１８に組み込まれまたは取り付けられている実施形態では、所望ならばまたは必要ならば組織を更に切断しまたは組織を切断するようにする。作動ビームは、直立縁部を有し、頂部および底部の垂直縁部は、上側案内１８３および下側案内１８４を形成しまたは備える。直立縁部は、ステープルカートリッジを貫通してステープルとステープルプッシャとの間に延びる長手方向スロットまたはチャネル内で移動する。切断ブレードは、ジョー相互間の組織を切断するよう作動ビームの直立縁部に組み込まれまたは取り付けられている。かくして、作動ビームのブレードおよび直立縁部は、一実施形態では、ステープルカートリッジ、アンビルまたはこれら両方に設けられている長手方向チャネルを通って移動する。頂部および底部垂直縁部は、ジョーの外面に沿って乗っかって固定された隙間高さ、すなわち頂部縁部と底部縁部との間の距離を保証し、局所化された圧縮力を組織に及ぼす。頂部垂直縁部または上側案内は、アンビルと組織をステープルカートリッジおよび他のジョーに向かって垂直方向下方に押してこれらに押し付け、底部垂直縁部または下側アームは、ステープルカートリッジおよび組織をアンビルおよび対向したジョーに向かって垂直方向上方に押してこれらに押し付ける。圧縮力は、作動ビームの作動または発射ストローク中、縁部がジョーの外面上に位置決めされる場所に局所化される。
【００３９】
発射ボタン６０を例えば図３０〜図３２に示されているように押すと、アーミングハブ６１は、このボタンが長手方向軸線１に垂直な方向に並進しているときに回転する。アーミングハブ６１は、一実施形態では、このボタンが直線方向に並進しているときに一方向、例えば反時計回りの方向に回転し、このボタンが逆の直線方向に並進しているときには反対側の方向、例えば時計回りの方向に回転する。アーミングハブ６１に連結されている作動ロッド６２（および／または図示のように近位作動ロッド６３）もまた、アーミングハブが回転しているときに時計回りの方向に回転する。同様に、作動ロッドは、アーミングハブが同じ方向に回転しているときに反時計回りの方向に回転する。
【００４０】
アーミングハブ６１は、形状が円形であり、作動ロッドを挿通させる中心開口部を備えている。アーミングハブの外側部分は、連結アームに作動的に結合するスロットまたは溝を有する。外側部分の別の部分に沿って一連の歯が設けられており、これらの歯は、発射ボタン６０の同様な一連の歯に作動的に結合しまたはこれらと噛み合う。アーミングハブの内側部分は、中心開口部に向かって延びていて作動ロッドに設けられた長手方向スロットと結合する突出部またはこぶ状突起を有する。
【００４１】
発射または前方ボタンが押された状態でかつ作動ロッドが回転した状態で、近位ピボット爪２８および遠位ピボット爪２５の頂部または歯は、今や、作動ロッド６２（および／または図示のように近位作動ロッド６３）に沿って長手方向に設けられた一連の歯７３と作動的に係合する。トリガ２１を回動させると、近位ピボット爪２８および遠位ピボット爪２５は、作動ロッドに沿ってまたはこれに対して遠位側に並進する。近位ピボット爪２８が作動ロッド内にまたはこの上に設けられた歯７３のうちの１つの歯にいったん係合すると、作動ロッドは、トリガが回動し続けているときに遠位側に動きまたは並進する。トリガを解除しまたはこれをハンドルベース２２から遠ざけることによって、近位ピボット爪２８および遠位ピボット爪２５は、作動ロッドに沿ってまたはこれに対して近位側に戻る。しかしながら、近位ピボット爪２８および遠位ピボット爪２５の頂部または歯は、今や、作動ロッド６２に沿って長手方向に設けられた一連の歯７３のより近位側の部分に作動的に係合する。一連の歯７３のうちの１つの歯に係合している遠位ピボット爪２５は、作動ロッド、作動スライダの近位側への運動を阻止するとともにジョーの開きを阻止する。一連の歯７３のうちの１つの歯に係合している近位ピボット爪は、作動ロッド、作動スライダ、作動ビームのそれ以上の遠位側への運動を可能にするとともにステープルの発射の続行およびジョー相互間の組織の切断を可能にする。したがって、トリガの多数回のストロークまたは絞り解除を実施すると、近位および遠位ピボット爪を十分に動かしてステープルを完全に突き出してジョー相互間の組織を切断することができる。一実施形態では、ステープルを突き出したジョー相互間の組織を切断するにはたった１回のストロークが利用される。アクチュエータは、その移動の終わりにある状態でまたはステープルの完全発射を行った状態で、例えば図３３〜図３５および図４５Ｃ〜図４５Ｄに示されている。
【００４２】
種々の実施形態によれば、トリガ２１は、中間アクション歯車２３およびトリガアクション歯車２４に結合されている。トリガアクション歯車２４は、図示の実施形態では、可動ハンドルのピボット突出部を挿通させる中心開口部を有する。トリガアクション歯車は、中間アクション歯車の歯の２つの組のうちの一方の組に噛み合わされまたは連結された一連の歯を有する。トリガ２１を回動させることにより、トリガアクション歯車が回転し、これに対応して中間アクション歯車２３が回転する。特に、トリガ２１を絞ることにより、トリガアクション歯車２４は、一方向に、例えば反時計回りの方向に回転し、それにより、中間アクション歯車２３は、逆の方向に、例えば時計回りの方向に回転する。中間アクション歯車の歯の２つの組のうちの他方の組は、可動ラック２７の歯と噛み合い、それによりこのラックを近位側に動かす。可動ラックは、一実施形態では、作動ロッドに平行に位置決めされる。また、ラックを近位側に動かすことにより、逆進爪２６が近位側に動きまたは並進する。発射形態では、ステープルの発射中、逆進爪の先端部は、作動ロッド６２（および／または図示のように近位作動ロッド６３）内にまたはこの上に設けられた外面またはスロットに乗るとともにこれに当たった状態で摺動する。したがって、ラックは、トリガの作動または回動に基づいて遠位側にそして近位側に動くことができる。
【００４３】
一実施形態では、逆進爪２６の先端部が近位または最も近位側の位置まで動くと、この先端部は、作動ロッドのスロット内の壁または作動ロッド６２に沿う歯に係合する。作動ロッド６２の壁または歯は、作動ロッドのそれ以上の遠位側への運動を阻止するハードストップまたは追加のストップとして働く。
【００４４】
ラック２７は、ハンドルベース２２に設けられたスロットまたはチャネル内に配置され、一実施形態では、ラック２７は、近位または最も近位側の位置に動かされると、スロットの壁または近位端部に係合し、それによりラック２７のそれ以上の近位側への運動を阻止し、かくして、中間アクション歯車２３のそれ以上の回転に抵抗し、それによりトリガアクション歯車２４のそれ以上の回転に抵抗し、それによりトリガ２１のそれ以上の絞りまたは閉じを阻止する。同様に、一実施形態では、ラック２７は、遠位または最も遠位側の位置に動かされると、スロットの壁または遠位端部に係合し、それによりラック２７のそれ以上の遠位側への運動を阻止し、かくして、中間アクション歯車２３のそれ以上の回転に抵抗し、それによりトリガアクション歯車２４のそれ以上の回転に抵抗し、それによりトリガ２１のそれ以上の開きまたはハンドルベースから遠ざかるトリガの動きを阻止する。
【００４５】
したがって、ハンドルベース２２に向かうトリガの作動により、中間アクション歯車２３が一方向に、例えば時計回りの方向に回転し、それによりラック２７が近位側に並進し、ハンドルベースから遠ざかるトリガの作動により、中間アクション歯車が逆方向に、例えば反時計回りの方向に回転し、それによりラックが遠位側に並進する。可動ラック２７の遠位端部に回動可能に連結された逆進爪２６は、ラックが近位側に並進したり遠位側に移動したりしているときに近位側に摺動したり遠位側に摺動したりする。
【００４６】
種々の実施形態によれば、外科用ステープラは、ステープルカートリッジ５の一方向の自動的な垂直調整をもたらす。カートリッジ５は、下側ジョー１２内で垂直に動かされ、一実施形態では、カートリッジは、下側ジョー１２のリテーナ１２１に対して垂直に動くことができる。下側ジョー内のカートリッジは、カートリッジリフト８２の底面に設けられた傾斜突起８３と傾斜路８０上の傾斜突起８１の相互作用によりアンビルに向かって垂直に（例えば、矢印Ｖによって示されているように）動くことができる。カートリッジは、カートリッジリスト８２の上面上に載る。カートリッジリフト８２の上面は、全体として平坦であるとともに／あるいはこれには傾斜突起が全くない。一実施形態では、カートリッジリフトは、カートリッジリフトの上面上のカートリッジの適正な着座または組付けを保証するようカートリッジリフトの側部に沿って設けられた案内または隆起部を有する。カートリッジリフトは、一実施形態では、これを貫通したチャネルまたはスロットを更に有し、かかるチャネルまたはスロットは、これを通って長手方向に動くことができる作動ビームのブレードおよび／または直立縁部を受け入れる。カートリッジは、図示の実施形態では、一方向にのみ、すなわち垂直に（例えば、矢印Ｖで示されているように）動くよう構成されている。カートリッジリフトはまた、カートリッジと傾斜路との間に位置決めされている。傾斜路は、静止状態のままであり、この傾斜路は、動くことができず、他方、カートリッジは、一方向に、すなわち垂直方向にそして傾斜路から遠ざかって動くことができる。カートリッジリフトが長手方向かつ近位側に動かされると（例えば、矢印Ｈによって示されているように）、カートリッジリフトの傾斜突起８３は、下側ジョー１２内で固定状態のままである傾斜路８０の傾斜突起８１に沿って摺動し、それにより、カートリッジ５を垂直に持ち上げる。したがって、外科用ステープラは、一連の傾斜突起を有し、これら傾斜突起は、カートリッジを垂直に持ち上げて上側および下側ステープル高さおよび隙間限度相互間の複数の中間箇所へのかつ傾斜突起の勾配に沿う成形ステープル高さの調節を許容する。
【００４７】
カートリッジリフト８２もまた、一実施形態では、近位側の長手方向に付勢されている。かかる付勢は、一実施形態では、いったん高さ調整機構体を作動させまたは発射操作を開始させて、例えば作動スライダが第１の規定の距離を越えて移動した場合にのみ起こる。特定の一実施形態では、カートリッジリフト８２は、カートリッジリフトを長手方向軸線に沿うまたはこれと整列した近位側の方向に引くカートリッジリフトばね８７によって付勢されまたは張力が加えられる。付勢されたリフトは、有効垂直力をカートリッジ５に加え、それによりカートリッジ５がジョー１１，１２相互間に保持された組織に押し付けられる。
【００４８】
別の実施形態では、当初、ばね８７または張力機構体は、ロックされまたは不作動状態であり、かくして、カートリッジリフトを近位側の方向に引く張力または力をなんらもたらさない。したがって、不作動時、カートリッジ５および関連のカートリッジリフト８２は、その初期または最も下の垂直位置に位置したままである。
【００４９】
カートリッジリフト８２は、カートリッジリフトがロック解除されまたはばねが解除されると、ばね８７によって近位側の方向に付勢されまたは引かれる（例えば、矢印Ｈによって示されているように）。いったんロック解除されると、カートリッジリフトは、近位側に引かれまたは引っ張られ、かくして、その元のまたは初期位置に戻る遠位側への運動に抵抗しまたは単に遠位側には自由には動くことができない。同様に、カートリッジ５は、その初期または最も下の位置から垂直に持ち上げられる。カートリッジが垂直方向に移動する量または距離は、ばねにより加えられる力、ジョー相互間の組織の量および閉じ状態のジョーによって組織に及ぼされるクランプまたは圧縮力に基づく。種々の実施形態によれば、カートリッジは、ばねによって加えられた力によって付勢されているときに一様な一方向の一貫した垂直力を及ぼす。カートリッジリフトおよび／またはリフトバイアスまたはばね（例えば、ばね８７）は、種々の実施形態では、リフトロックによって制止され、種々の実施形態では、リフトロックは、ユーザによって接近可能ではない。リフトロックをいったん変位させると、カートリッジリフトは、引かれまたは張力が加えられ、かくして、その元のまたは初期位置への戻りに抵抗しまたはこの位置に戻ることができない。
【００５０】
図示の実施形態では、カートリッジリフト８２は、カートリッジリフトビーム８４に連結され、カートリッジリフトビーム８４は、カートリッジリフト筒８５に連結されている。一実施形態では、カートリッジリフトの近位端部は、ピンを受け入れる開口部およびカートリッジリフトビーム８４の遠位端部に連結されまたはこれから延びるフランジを受け入れるスロットを有する。リフトビームの近位端部は、リフト筒８５の遠位端部に連結され、例えば溶接されまたはリベット留めされている。リフト筒は、中心開口部を有し、このリフト筒は、作動カバー管１８５の周りに設けられまたはこれを包囲している。リフト筒は、かくして、作動カバー筒１８５、作動スライダ１８０、作動ロッド８２およびリフトビーム８４と同軸であり、このリフト筒は、同様に、作動スライダ１８０および作動ロッド６２に平行である。リフト筒は、カートリッジリフトばね８７によって近位側の方向に付勢される（例えば、矢印Ｈによって示されているように）。カートリッジリフトばねはまた、作動カバー管１８５を包囲し、このカートリッジリフトばねは、整列状態にかつ上側および下側外側カバー９１，９２とリフト筒８５との間に位置決めされている。図示の実施形態では、カートリッジリフトスペーサ８６がばねとリフト筒との間（例えば、ばねの後／背後）にまたは一実施形態では上側および下側外側カバーとばねとの間（例えば、ばねの前／正面）に配置されており、それによりばねの組立てまたは寸法決めの際の許容誤差に順応し、かくしてばねの強さに順応し、それにより適当な圧縮力がジョー相互間に配置された所与の組織について加えられるようにする。リフト筒８５は、ステープルを発射することができまたはステープラが発射形態または位置にあるまでまたはその直前において、制止状態のままでありまたは近位側に動くのが阻止される。リフト筒８５は、種々の実施形態では、リフトロックによって制止され、種々の実施形態では、リフトロックは、ユーザによって接近可能ではない。種々の実施形態では、リフトロックは、再装填またはＳＴＲ再使用ロックアウトである。種々の実施形態では、ＳＴＲ再使用ロックアウト４１は、リフト筒８５と整列し、かくしてリフト筒と接触関係をなすよう付勢され、それによりリフト筒の長手方向近位側への運動を阻止する。ＳＴＲ再使用ロックアウトがいったん位置合わせ不良になるとまたは動かされてリフト筒から離れると、リフトばね８７は、リフト筒を近位側に付勢する。種々の実施形態では、リフトロックまたはＳＴＲ再使用ロックアウトは、作動スライダと接触状態にありまたはこれに結合され、かくして、作動スライダがいったん発射操作を開始するとまたはステープルを発射することができまたはいつでも発射可能な状態にある直前において、位置合わせ不良状態になる。
【００５１】
一実施形態では、リフト筒はまた、ＳＴＲ再使用ロックアウト上をこれに沿って摺動し、それによりＳＴＲ再使用ロックアウトとリフト筒の並列を阻止する。したがって、リフト筒がいったん作動されると、リフト筒を再びロックすることができずあるいはその初期または近位位置に戻すことができない。同様に、リフトビームによってリフト筒に連結されているカートリッジリフトは、その初期または近位位置に戻ることができない。また、カートリッジリフトは、ばねおよび筒の運動の影響を受けて、長手方向かつ近位側に動く（例えば、矢印Ｈによって示されているように）。カートリッジリフトが近位側に動いているときのカートリッジリフトの傾斜突起と傾斜路の傾斜突起の相互作用により、カートリッジリフトは、ステープルカートリッジ５を一様に垂直に動かす（例えば、矢印Ｖで示されているように）。種々の実施形態によれば、カートリッジ、リテーナまたはこれら両方に設けられている突出部または戻り止めと対応関係をなして相互作用するスロットまたはチャネルは、カートリッジの一様でありかつ単一の垂直運動を保証しまたは助ける。傾斜突起とリフト筒の付勢の相互作用はまた、ステープルカートリッジのための一体形高さロックアウトとして働き、それにより、ステープラは、調整後のステープル高さ位置で発射することができ、この場合、開き状態にまたは先の位置に戻されるということは可能ではない。
【００５２】
カートリッジ高さの調整は、ジョーが一片の組織上に閉じられている間に起こり、かかる調整は、ステープラによって自動的に行われる。外科医／ユーザは、ステープル高さまたはステープルサイズを選択することはない。したがって、ステープル高さは、組織の厚さおよび組織がもたらす抵抗に基づいてステープラによって自動的に設定される。カートリッジ高さの調整はまた、頂面と底面が互いに平行である間にアンビルに対するカートリッジの運動を生じさせる。調整中、頂面と底面は、互いに平行なままであり、これら表面は、運動がいったん完了しても互いに平行なままである。
【００５３】
図５０Ａに示されているように、ＳＴＲ再使用ロックアウト４１の遠位端部は、当初、作動スライダ１８０または一実施形態では近位作動スライダ１８１の外側頂面上に載る。一実施形態では、ＳＴＲ再使用ロックアウトの近位端部は、作動カバー管１８５に連結されている。板ばねがＳＴＲ再使用ロックアウトの頂部上に載り、この板ばねは、カバー管に結合されている。板ばねは、ＳＴＲ再使用ロックアウトの遠位端部を付勢しまたは回動させて作動スライダに当てまたはこれに押し付ける。次に図５１Ｂもまた参照すると、ジョーを開閉しているとき、ＳＴＲ再使用ロックアウトの遠位端部は、作動スライダの外側頂面上に位置したままであり、スライダが動いてジョーが開閉されると、長手方向近位側に浮かんで動いたり遠位側に浮かんで動いたりする。
【００５４】
ステープルの発射がいったん開始されまたは作動されると、作動スライダは、遠位側に前方に動き、それによりＳＴＲ再使用ロックアウト４１の遠位端部が作動スライダに設けられているスロットまたは開口部１８７内に落ち込むことができる。したがって、ＳＴＲ再使用ロックアウトの遠位端部は、作動スライダが長手方向遠位側に移動してステープルをステープルカートリッジから突き出しているとき、図５１Ａ〜図５１Ｃに示されているように作動スライダのスロットの外面上に乗りまたは載る。
【００５５】
ＳＴＲ再使用ロックアウトの遠位端部の頂面または外面は、外側カバー管、リフト筒またはこれら両方の底面の下に落ちる。同様に、ＳＴＲ再使用ロックアウトの遠位端部の底面または下面は、作動スライダのスロットまたは遠位下面の頂部上に乗る。したがって、ＳＴＲ再使用ロックアウトの遠位端部は、外側カバー管またはリフト筒と作動スライダとの間に配置されまたは捕捉される。加うるに、ＳＴＲ再使用ロックアウトは、作動スライダとは異なり、長手方向には動かず、回動しまたは作動スライダの長手方向に垂直にまたはこれに対して横方向に動く。
【００５６】
作動スライダが戻っているとき、ＳＴＲ再使用ロックアウトの遠位端部は、図５２Ａおよび図５２Ｂに示されているように作動スライダに設けられている遠位スロット内に捕捉または取り込み状態になる。したがって、ＳＴＲ再使用ロックアウトは、長手方向近位側の方向にも遠位側の方向にも作動スライダのそれ以上の運動を阻止する。したがって、ＳＴＲは、今や、どのステープルも発射しまたは突き出すことができずまたはナイフブレードを動かすことができずまたはカートリッジリフトをリセットすることができない。種々の実施形態によれば、ステープルカートリッジが今や隆起状態にあることは、ＳＴＲおよび／またはカートリッジが今や発射することができず、ステープルがなく、ステープル留めまたは切断操作が完了していることまたはこれらの任意の組み合わせが生じていることの指標として役立ちうる。
【００５７】
種々の実施形態によれば、ステープルカートリッジ５は、下側ジョー１２に設けられているスロットまたは開口部１２１１，１２１２と嵌合してこれらの中で摺動するよう位置決めされるとともに形作られた１つまたは２つ以上の戻り止めまたは突出部５５１，５５２を有する。突出部５５１，５５２は、ステープルカートリッジの側壁に設けられ、スロット１２１１，１２１２は、カートリッジホルダ、リテーナ１２１またはステープラの下側ジョー１２の側壁に設けられる。突出部とスロットの嵌合により、ステープルカートリッジが垂直に動くことができるようにするが、ステープルカートリッジが垂直にしか動かず、側から側へはまたは長手方向遠位側にもしくは近位側に動くことができないようにもする。種々の実施形態では、突出部または戻り止め、例えば突出部５５１は、垂直以外のステープルカートリッジの運動を制限するとともにステープルの下側ジョーからのステープルカートリッジの取り出しを阻止する。種々の実施形態では、ステープルカートリッジは、垂直に動くことができるが、永続的にジョーに取り付けられ、それによりステープルカートリッジの再使用またはステープルカートリッジの放出または取り出しを制限し、一貫したステープラの操作を保証する。種々の実施形態では、たった１つの突出部または１組の突出部、例えば突出部５５１、突出部５５２、またはこれらの組み合わせがステープルカートリッジに設けられる。
【００５８】
ステープルカートリッジは、種々の実施形態では、一様な力を加えて組織を圧迫するのを助ける単一の一体形構造体である。個々のステープルプッシャが個々のポケット内のステープラカートリッジ内に設けられ、個々のステープルが各ポケット内に納められる。ステープルプッシャの作動により関連のステープルがステープルポケットから突き出されてクランプ状態の組織およびステープルを成形しまたは閉じるアンビルに入り込む。
【００５９】
一実施形態では、スライダ１７のフィンは、長手方向にオフセットしており、したがって、ブレードに対して一方の側、例えば右側のフィンは、ブレードに対して反対側、例えば左側のフィンよりも遠位側の位置に設定される。かくして、左側のフィンは、右側のフィンよりも近位側の位置に配置される。フィンのオフセットにより、ステープルの突き出しの際に力が分配され、したがって、組織の潜在的に過剰な圧迫が軽減されるとともにステープルプッシャを介してステープルをステープルポケットから順次突き出すのに必要な力の大きさが減少する。
【００６０】
ステープラは、ジョー１１，１２を細長いシャフトに沿って長手方向軸線に対してゼロまたは初期位置から傾斜しまたは４５°の位置に切り替え、そして再びゼロまたは初期位置に戻す関節運動レバーまたはスイッチ５０を有する。外科医がレバーを作動させると、レバーは、関節運動前方アーム５２および関節運動後方アーム５４に係合し、これらアームは、分離または位置合わせ不良位置から位置合わせかつ直線位置に動く。後方アームの一端部は、レバーに連結され、後方アームの他端部は、ハウジングベースに連結されている。前方アームの一端部は、後方アームにその中間部分に沿って連結され、前方アームの他端部は、関節運動延長アーム５３に連結されている。
【００６１】
関節運動延長アーム５３の他端部は、関節運動筒５５を包囲した状態でこれに連結された関節アームハブ５７に連結されている。関節運動筒は、関節運動ビーム５１に解除可能に結合するよう構成された差し込みカップリングを有し、関節運動ビーム５１の遠位端部は、ジョー１１，１２を回動可能に連結するジョーピボットポストの近くでピボットポストに連結されている。ピボットポストは、ジョーピボットポストに垂直にかつ細長いシャフトの中心または長手方向中線からオフセットした状態で配置されている。関節運動前方アームと関節運動後方アームを互いに一線をなして配置することにより、関節運動延長アーム５３が近位側に引かれまたは摺動し、それにより関節運動ハブおよび筒を近位側に摺動させて関節運動ビームを近位側に引く。ビームの近位側への運動によりピボットポストが引っ張られ、それによりジョー１１，１２に連結されるとともにピボットポストに連結されている上側および外側カバー９１，９２が近位側に引かれる。ピボットポストは、シャフトの中心からオフセットした状態で配置されているので、ジョーカバーは、ピボットポストに向かう方向に動いてジョーを傾斜位置に配置する。レバーが完全に押し下げられた状態で、前方アームと後方アームは、整列して定位置に設定され、それによりジョーを傾斜位置に保持する。レバーが解除されまたは元の位置または初期位置に戻されると、前方アームと後方アームは分離しまたは位置合わせ不良状態になり、それにより関節運動ビームを近位側に引っ張ってこれを解除し、かくして関節運動ビームは、遠位側に動くようになる。関節運動ビームを遠位側に動かすことにより、上側および下側の外側カバーおよびかくしてジョー１１，１２は、回動して初期またはゼロ位置に戻り、それによりジョーをステープラの長手方向軸線１に整列させる。
【００６２】
一実施形態では、関節運動筒は、関節運動筒を包囲するとともに関節運動筒の外面と関節運動ハブの内面との間に位置決めされたバイアスコンポーネント、例えば関節運動筒ばね５６を有する。このばねは、関節運動筒を遠位側に付勢し、この関節運動筒はまた、関節運動ビームを遠位側に付勢し、それによりジョーを初期またはゼロ位置に付勢する。
【００６３】
種々の実施形態によれば、作動ロッド６２が遠位側に並進している間、逆ボタン（または発射ボタンを逆方向に動かすこと）を任意の時点で押すことができる。逆ボタンを押すことにより、ステープラの操作が逆になり、それにより後方または近位側への作動ロッドの長手方向運動が可能になる。
【００６４】
例えば図３６〜図３８ならびに図４６および図４７に示されているように、逆ボタンを押すと（発射ボタン６０を再び押すと）、ボタンが直線方向に並進しているときに、アーミングハブ６１が回転してその初期位置に戻りまたは逆の方向、例えば時計回りの方向に回転する。アーミングハブに連結されている作動ロッド６２（および／または図示のように近位作動ロッド６３）もまた、回転してその初期位置に戻りまたは逆方向、例えば時計回りの方向に回転する。
【００６５】
発射または逆ボタンが押された状態でかつ作動ロッドが回転した状態で、可動スライダまたはラック２７に連結されている逆進爪２６は、作動ロッド６２に沿って長手方向に設けられまたは作動ロッド６２内に長手方向に設けられた一連の歯７４と係合状態になりまたはこれらと係合可能である。作動ロッド６２が遠位または最も遠位側の位置にある状他で、歯７４は、接近可能になりまたは逆進爪２６に対して露出状態になる。
【００６６】
トリガ２１を作動させまたはこれをハンドルベース２２に向かって絞ると、トリガアクション歯車２４が回転し、それにより中間アクション歯車２３を回転させ、この中間アクション歯車は、ラック２７を近位側に並進させる。ラック２７に連結されている逆進爪２６もまた、近位側にかつ長手方向に動く。作動ロッド６２に設けられている歯７４のうちの１つの歯に係合している逆進爪２６もまた、作動ロッド６２を近位側にかつ長手方向に動かす。
【００６７】
トリガを解除しまたはトリガをハンドルベース２２から遠ざけることにより、逆進爪２６およびラックは、トリガと中間アクション歯車の相互作用および協働によって遠位側に戻る。しかしながら、逆進爪２６の先端部または歯は、作動ロッド６２に沿って長手方向に設けられた一連の歯７４のより遠位側の部分に作動的に係合状態となる。加うるに、逆進爪と歯７４の係合により、作動ロッド６２の遠位側への運動が阻止されまたは妨げられる。したがって、トリガの多数回のストロークまたは絞りおよび解除を実施すると、作動ロッド６２をその初期または最も近位側の位置に完全に戻しまたはほぼ戻すことができ、それによりジョーを完全に開くことができる。かかるストロークは、一実施形態では、ジョーを小刻みに開き、かくしてステープル留めされた組織からのステープラの離脱を可能にする。一実施形態では、１回のストロークを利用してジョーを完全に開く。種々の実施形態では、作動（例えば、ジョーの閉じ／開きおよび／またはステープルの発射）またはステープラの関節運動は、１つまたは２つ以上のモータによって支援される。
【００６８】
前方近位および遠位爪２８，２５は、トリガを絞って解除しているときおよびラックが近位側に動いたり遠位側に動いたりしているときに、作動ロッド６２の外面上で遠位側に摺動したり近位側に摺動したりする。したがって、トリガの多数回のストロークまたは絞りおよび解除を実施すると、作動ロッド６２をその初期または最も近位側の位置に完全に戻しまたはほぼ戻すことができ、そして前方近位および遠位爪２８，２５を作動ロッド６２に対してこれらの初期位置に戻しまたは位置決めしまたはほぼ戻すことができる（例えば、前方近位爪２８は、切欠き７２に係合し、前方遠位爪２５は、切欠き７１に係合する）。アクチュエータは、その逆移動の終わりの状態で例えば図３９〜図４４に示されている。一実施形態では、逆形態にある間にトリガを最終的に絞ると、ＳＴＲがロックアウトされ、アクチュエータ２が例えば図４２〜図４４に示されているように初期または開／閉モードにリセットされる。
【００６９】
種々の実施形態によれば、閉じられた時のジョー１１，１２および細長いシャフトは、少なくとも、トロカールカニューレの内径以下の外径を定める。代表的な外科的処置は、患者の体の上およびこれを貫通して配置された単一部位外科的アクセス器具または多数のトロカールカニューレを含むのが良い。特定の一実施形態では、トロカールカニューレの内径は、１２ｍｍに一致し、ジョーの組成またはコンポーネントは、上側および下側ジョー、プッシャ、ステープル、カートリッジ、およびジョー隙間高さを含む。カートリッジは、プッシャおよびステープルのためのネスト（nest）であり、一実施形態では、カートリッジは、下側ジョー内に固定される。プッシャは、ステープルの下に位置し、そしてプッシャがスライダによる作用を受けると、ステープルをカートリッジ内のカートリッジポケットから完全に押し出す。ステープルがカートリッジから押し出されると、ステープルは、組織を通らざるを得なくなり、そして上側ジョーのアンビル内のこれらに対応したアンビルポケット内に入って接触することにより変形する。作動ビームは、これがヒンジ留めされた上側ジョーとの間で組織を圧迫しながらヒンジ留めされた上側ジョーを閉じ、プッシャを展開してステープルを発射し、そして組織をジョーの中心のところで切断する作業を行うので、大応力コンポーネントである。
【００７０】
種々の実施形態によれば、３．５ｍｍステープラＳＴＲに関し、ステープルは、約０．１４０インチ（３．５５６ｍｍ）の高さを有し、プッシャは、ステープルをカートリッジから押し出して完全に展開するためにステープル高さの約２／３である。かかるステープルに関し、上側ジョーと下側ジョーとの間のジョー隙間高さは、約０．０３６インチ（０．９１４ｍｍ）である。図５３Ａおよび図５３Ｂは、種々の実施形態に従って成形された３．５ｍｍステープル６および未成形状態にある３．５ｍｍステープル６を示している。未成形状態では、ステープル６は、約３．５ｍｍの高さおよび約３．０ｍｍの幅を有し、成形状態では、ステープルは、約１．５ｍｍの高さを有する。成形高さは、組織厚さおよびステープル成形に影響を及ぼす他の条件に基づいて様々であって良い。図５６Ａ〜図５６Ｃは、未成形の例示のステープル６、最小高さで成形された例示のステープル６および最大高さで成形された例示のステープル６を示している。
【００７１】
図示の実施形態では、下側ジョーは、ジョーが組織にクランプされているときに剛性のままであるようにするために０．０３０インチ（０．７６２ｍｍ）の厚さを有する。下側ジョーは、側壁がカートリッジの側部の周りにかつこの上方に曲がるとともに包んでいるので、垂直方向に増大した強度を有する。上側ジョーは、一般的に言って、組織にクランプされたときに曲げの影響を受けやすい平べったい金属片であり、かくして、厚い。
【００７２】
全体的に、ＳＴＲの遠位部分の断面内のコンポーネントの全ての寸法を僅かに変更することができるが、通常は、僅かであるに過ぎない。かくして、これらのスペース上の制約下で働くとともに機能性／信頼性を維持しながら追加の機能性をＳＴＲの遠位部分に与えることは、相当な難問である。
【００７３】
図５４は、制限されたスペース上の要件または限度を示しており、かかる要件または限度内において腹腔鏡的外科用ステープラは、これらの寸法に適合しなければならない。もしそうでなければ、切開創サイズの増大により、回復時間が長くなるとともに望ましくない患者の外傷が生じる。特定の実施形態では、ステープラの外径５４１は、約０．５ｍｍである。したがって、アンビル９およびビーム１８の上側案内１８３を含む上側ジョー１１は、このスペースの約１／３を占める。ジョー１１，１２相互間の隙間は、組織を把持することができるようにするとともにステープル６を発射してステープルを発射するためにカートリッジから部分的に突き出されたステープルプッシャ７と一緒に成形することができるように維持される。この隙間は、種々の実施形態によれば、約０．０３６インチ（０．９１４ｍｍ）であるのが良い。ビーム１８の下側案内１８４およびカートリッジ５を含む下側ジョー１２は、残りの空間を占める。カートリッジ５によって占められる高さまたは空間は、ステープル６およびステープルを突き出すために用いられるプッシャ７の高さによって更に制限される。下側ジョー１２およびビーム１８の下側案内１８４の寸法もまた、スペース上の制約および適正なステープル発射を保証するための所望の強度および耐久性に起因して制約される。同様に、上側ジョー１１およびビーム１８の上側案内１８３の寸法もまた、スペース上の制約およびアンビル９のアンビルポケット９９の深さおよび形状ならびに適正なステープル成形を保証するのに必要な強度及び耐久性に起因して制限される。
【００７４】
図５５Ａおよび図５５Ｂは、最大ジョー隙間高さ５５４（例えば、０．０３８インチ（０．９６５ｍｍ））および最小ジョー隙間高さ５５３（例えば、０．０１８インチ（０．４５７ｍｍ））を提供する種々の実施形態としてのステープラのジョーを示している。最大ジョー隙間高さまたは初期条件では、カートリッジは、その最も低い高さ位置にあり、カートリッジ５の突出部５５１，５５２は、カートリッジの最も低い位置では下側ジョー１２のスロット１２１１，１２１２内にしっかりと嵌め込まれている。最小ジョー隙間高さまたは非拘束状態では、カートリッジ５は、その最も高い高さ位置にあり、カートリッジの突出部は、これらの最も高い位置では、下側ジョー１２のスロット１２１１，１２１２内にある。種々の実施形態によれば、突出部、例えば突出部５５１とスロット、例えばスロット１２１１の相互作用により、最大ジョー隙間高さと最小ジョー隙間高さとの間の範囲が更に制限されまたは調節される。
【００７５】
一般的に言って、腹腔鏡的直線切断外科用ステープラは、ステープルカートリッジを一様に持ち上げてこれを定位置にロックするために小さい角度で一連の互いに反対側に位置する傾斜突起を有する。１組の傾斜突起は、静止状態のままであり、第２の組は、静止状態の組をなす傾斜突起に対して長手方向に動かされ、それにより傾斜突起の表面を駆動してこれらが互いに対して摺動するようにする。一連の傾斜突起は、カートリッジの長さに沿って配置され、傾斜突起の相互作用により、カートリッジは、一様に持ち上がる。カートリッジは、ステープル、プッシャおよびスライダを収容している。
【００７６】
初期またはデフォルト位置では、例えば、輸送されたままの状態では、カートリッジは、その最も低い高さ位置にあり、かくして、ジョー相互間の隙間距離が最も長い。この初期形態では、ステープラのジョーは、組織に対しては穏やかな状態でこれらジョー相互間で組織を把持するよう自由に開閉することができる。かくして、ジョーはまた、組織上に穏やかに位置決め可能であり、組織は、所望の発射位置または場所に位置決めされる。ユーザが所望の発射場所をいったん見出すと、カートリッジリフトを稼働させまたは作動させる。一実施形態では、カートリッジリフトは、初期発射ストローク中、自動的に稼働されてステープルをカートリッジから発射しまたは突き出す。カートリッジリフトを稼働させることによって、カートリッジリフトは、長手方向に動かされ、カートリッジリフトに設けられている傾斜突起と傾斜路またはリテーナと付勢状態のリフトの相互作用により、垂直持上げ力がカートリッジに加えられ、それによりカートリッジをアンビルに向かって垂直に動かして所定の圧力をジョー相互間の組織に及ぼす。
【００７７】
ジョーとカートリッジと傾斜突起との間のクランプ力は、ステープラの長手方向軸線に垂直な方向に差し向けられる。この力はまた、２つの組をなす傾斜突起を互いに押し合う。互いに対する傾斜突起表面の角度が小さいことおよび更に力に垂直な傾斜の度合いが大きいことに起因して、クランプ力もしくは反力または圧力は、傾斜突起およびかくしてリフトをその初期位置に長手方向に駆動して戻すことができない。種々の実施形態によれば、大きな力の追加がこれまた同一の垂直方向であるステープル発射／成形中に遭遇した場合であってもまたは予想外に高い圧力であっても、傾斜突起および他のコンポーネントは、長手方向に戻らないで変形することになる。カートリッジリフトは、かくして、カートリッジを設定された小刻みな箇所ではなく最も低い箇所と最も高い箇所との間の無限数の中間高さまで持ち上げることができ、それと同時に、カートリッジをロックしまたはカートリッジが下方に戻るのを阻止する。これもまた、例えばユーザの対話なしに自動的に行われて特定の高さを設定しまたは決定することができるとともにステープルをその決定された高さに合わせて調整しまたは設定することができる。
【００７８】
種々の実施形態によれば、カートリッジリフトの傾斜突起および傾斜路は、同一の寸法形状を有する。種々の実施形態では、傾斜突起は、互いに異なる寸法または形状を有し、傾斜突起の勾配は、ジョー１１，１２相互間に把持されている組織に加えられる圧縮力を定めまたは計算に入れている。種々の実施形態によれば、傾斜路８０は、例えば図６９および図７０に示されているようにリテーナまたは下側ジョー１２中に実現されまたは組み込まれている。また、図示のように、傾斜突起８１は、近位側に延びる勾配が漸増する傾斜突起であり、カートリッジリフト８２に設けられている傾斜突起８３は、カートリッジリフトを近位側に動かしているときにカートリッジを垂直に動かすよう互いに結合しまたは相互作用するよう近位側に傾斜しまたは延びる漸減傾斜突起として構成されている。
【００７９】
可動組をなす傾斜突起は、いったん解除されまたは稼動されると所望の長手方向力を加えるよう設計された予荷重ばねに連結されている。ばねはまた、荷重を傾斜突起に加え、それによりカートリッジを垂直に動かして組織に加わる所望の所定かつ最適な圧力を達成し、それにより組織および周りの組織に対する過剰圧力または外傷を最小限にした状態で所望のステープル成形を生じさせるよう設けられている。
【００８０】
付勢部材またはばねをシャフト内に配置しまたはジョーから遠位側に遠ざけて配置することにより、大きな付勢部材（例えば、ステープラの１つまたは複数のジョーによって課されるスペース上の制約のないばね）が考慮に入れられ、容易な製造が提供され、ジョーのところのスペース上の制約が少なくなり、単一の力を広げてジョーのところに一様に加えることができる。ジョー内のかかる付勢部材は、組織をアンビルに押し付けるために一様な力をカートリッジに効果的に加えることができないので、実用的ではなくまたは作用しない場合が多い。組織の適正な圧縮および適正なジョー隙間高さは、適正なステープル成形を保証する。適正なステープル成形は、漏れをなくすとともに組織に対する外傷を減少させる。
【００８１】
種々の実施形態によれば、外科用ステープラは、圧縮力を３つの互いに異なる間隔で加える。第１の圧縮は、ジョーを組織上に閉じた場合に起こるのが良い。第２の圧縮は、垂直調整駆動装置を作動させたときに起こり、第３の圧縮は、発射機構体が圧力を両方のジョーに加えたときに起こる。圧縮間隔を広げまたは順序づけることによって、組織は、更に圧縮されるとともに圧縮に対する抵抗が小さくなり、それにより最適なステープル成形を提供するとともに組織外傷を減少させる。
【００８２】
可動ウェッジは、圧力センサによって駆動されるケーブルまたはモータによって付勢されるのが良い。ステープラは、１回使用使い捨て器具であり、したがって、リフト機構体は、いったん始動されると、リセットが不可能であり、かくしてリフト機構体を関連のカートリッジと一緒に再使用することができない。種々の実施形態によれば、リフト機構体は、カートリッジの側部に沿ってカートリッジの底部上に設けられた傾斜突起またはウェッジ、下側ジョーまたはカートリッジに組み付けられまたは組み込まれた別個のインサートとしての傾斜突起、および／またはウェッジに代えてまたはウェッジに加えて設けられる傾斜したスロットまたはチャネルを用いて提供されるのが良い。種々の実施形態によれば、カートリッジリフトは、近位側ではなく遠位側に付勢されてカートリッジを持ち上げるのが良く、かくして、傾斜突起の方向または勾配もまた逆になる。種々の実施形態によれば、別個のロックアウトまたはリフト制限手段、例えばカートリッジリフトに設けられる歯またはラチェット状機構体、カートリッジ、リフト筒、リフトビームまたはカートリッジリフトもしくはステープルカートリッジの一方向近位側または遠位側の長手方向かつ小刻みな運動だけを提供する他の手段が提供される。
【００８３】
種々の実施形態では、リテーナが長手方向かつ近位側に動くことができ、そしてカートリッジを垂直に持ち上げるカートリッジリフトと相互作用する複数の傾斜突起を有する。カートリッジリフトは、種々の実施形態では、滑らかで平坦な上面及び下面付きの傾斜突起を備えていないが、本明細書全体を通じて説明している傾斜突起または突出部状の形態および相互作用手段に取り付けられる。種々の実施形態では、例えば、図６０〜図６５に示されているように、カートリッジリフト８２１１は、カートリッジリフト遠位側に（矢印Ｄ）、例えばアクチュエータから遠ざけて動かすことによりカートリッジ５が垂直に持ち上がるように複数の傾斜突起８２１２を有している。カートリッジリフトの傾斜突起は、近位側に低くなりまたは下方に傾斜し、リテーナの傾斜突起は、遠位側に上方に傾斜している。図示のように、リテーナは、組み込まれまたは下側ジョー１２によって置き換えられ、この場合、下側ジョー１２は、対応の傾斜突起１２２１を有する。ステープルカートリッジ５は、カートリッジリフト上に載り、カートリッジリフトを遠位側に動かすと、カートリッジリフトの傾斜突起は、下側ジョーの傾斜突起上で摺動し、それによりカートリッジを垂直に動かす。加うるに、例えば図６２Ａおよび図６２Ｂに示されているように、ジョーがジョーの開閉なしに長手方向軸線から遠ざかって回動しまたは傾けられまたは長手方向軸線との整列状態から外れることができるような関節運動が提供される。カートリッジリフトは、種々の実施形態では、遠位側の方向に付勢される。種々の実施形態によれば、ばね８７１がカートリッジリフトを遠位側に付勢する。カートリッジリフトの近位端部は、垂直に延びまたは延長されたベース８２１３を有する。延長ベースは、ばね８７１と作動ビーム１８との間に位置決めされる。ばねは、力を遠位側の方向で延長ベースに加える。しかしながら、作動ビームの位置は、カートリッジリフトの延長ベースの遠位側への運動およびかくしてばね８７１の解除を制約しまたは制限する。
【００８４】
発射作動形態では、作動ビームは、遠位側に動かされ、かくして、延長ベースの運動およびばねの解除を可能にしてばね力をカートリッジリフトに加える。したがって、ばねは、カートリッジリフトを遠位側に動かしてカートリッジが上方に持ち上がりまたは垂直方向にのみ動き、そしてジョー内の組織に対して自己調整を行う。
【００８５】
種々の実施形態では、例えば図６８Ａおよび図６８Ｂに示されているように、カートリッジリフト８２４は、カートリッジプラットホーム５０１に設けられている複数の傾斜突起５０３を挿通させるアパーチュア８２５を有している。カートリッジリフトを近位側に動かすことにより、カートリッジプラットホームまたはフレームが垂直に持ち上がる。特に、カートリッジリフトを近位側に動かすと、アパーチュアの最も遠位側の端または壁が近位側に下方に傾斜したカートリッジプラットホームの傾斜突起と相互作用する。その結果、カートリッジプラットホームは、カートリッジリフトが長手方向に、例えば近位側に動かされると、垂直に動かされる。種々の実施形態では、カートリッジは、カートリッジプラットホーム上に載せられ、したがって、カートリッジおよびカートリッジプラットホームは、垂直にまたはカートリッジリフトの長手方向運動に対して横の方向にのみ動く。種々の実施形態では、カートリッジおよびカートリッジプラットホームは、一体形構造体を形成するよう一体化される。
【００８６】
種々の実施形態では、例えば図７１に示されているように、カートリッジプラットホーム５０５は、複数の突出部５０７（例えば、こぶ状突起）を有し、カートリッジリフト８２６は、複数の傾斜突起８２８を有し、したがって、カートリッジリフト８２６を近位側に動かすと、カートリッジリフトの傾斜突起は、カートリッジプラットホームをこぶ状突起と相互作用してカートリッジ５を垂直に持ち上げる。
【００８７】
種々の実施形態では、カートリッジリフトは、柔軟性引きケーブル、例えばケーブル７１４に連結されている。柔軟性引きケーブルは、引っ張りばね７１６に結合された保持／解除ブロック７１５を有する。引きケーブルの柔軟性は、細長いシャフトに対するジョーの撓みまたは関節運動（例えば、湾曲線７０１によって観念的に示された撓み箇所または継手のところでの）を助ける。引っ張りばねは、カートリッジリフトを近位側に付勢する。保持／解除ブロックは、引きケーブルおよび同様にカートリッジリフトの運動を制限しまたは制約する。いったん作動されると、保持／解除ブロックは、解除され、それにより引きケーブルおよびカートリッジリフトを近位側に引くことができる。カートリッジリフトを近位側に動かすと、カートリッジは、上側ジョー１１に向かって垂直に動く。種々の実施形態では、カートリッジは、カートリッジプラットホーム上に載せられ、したがって、カートリッジおよびカートリッジプラットホームは、垂直にまたはカートリッジリフトの長手方向運動に対して横の方向にのみ動く。種々の実施形態では、カートリッジおよびカートリッジプラットホームは、一体形構造体を形成するよう一体化される。
【００８８】
種々の実施形態では、例えば、図６６および図６７に示されているように、作動ロックまたはリンク６６１が作動ロッドまたはスライダに回動可能に連結されており、この場合、１つの位置では、作動リンクは、作動ロッドまたはスライダを制約し、ステープルの発射およびジョー相互間の組織の切断を阻止する。作動ロッドまたはスライダは、種々の実施形態では上述したように作用する。当初、作動リンク６６１は、作動ロッドに連結されている作動ピン６６３に引っかかる。作動スライダは、トリガに連結されており、トリガを操作すると、作動スライダもまた動くが、逆方向に動くことになる。かくして、トリガを近位側に絞ると、作動スライダは、遠位側に動いて最終的にはジョーを閉じて例えば図６６Ａおよび図６６Ｂに示されているようにステープルを突き出す。作動スライダを金側に戻すことにより、ジョーが開く。図６６Ｂに示されているように、作動スライダを戻すと、作動リンクが回動されまたは上方に回されてリンクを作動ピン６６３から切り離しまたは外す。この切り離しにより、作動スライダとステープラの遠位作動部分との連結が実施不能になり、例えばステープルの発射またはジョーの運動ができなくなる。図示のように、図６７Ａおよび図６７Ｂでは、作動ピン６６３は、自由に近位側に動いたり遠位側に動いたりすることができるが、もはや作動リンクには連結されない。かくして、作動ピンが動いてもステープラの遠位作動部分は動かず、かくしてトリガが動いてもステープラの遠位作動部分は動かない。種々の実施形態では、ステープルを発射する能力だけが作動リンクと作動ピンの相互作用によって切り離されるが、ジョーの開閉は、依然として許容される。したがって、ステープルを発射する任意の動きまたはコンポーネントが働いていない間、トリガを動かすとジョーを開閉することができる。
【００８９】
種々の実施形態では、例えば図５７〜図５９に示されているように、傾斜突起またはスロット８２１がカートリッジリフト８２０の側部に沿って追加的に設けられ、対応の突出部または戻り止め５０１がリフトおよびジョーのそれぞれの底面および上面に沿ってではなく、カートリッジリテーナまたはカートリッジ５から延びている。カートリッジリフト８２０は、種々の実施形態では、同様に、例えば近位側の方向（矢印Ｈ）に付勢され、いったん作動されると、カートリッジの突出部とリフト８２０のスロットの相互作用によりカートリッジを垂直に（矢印Ｖ）持ち上げる。種々の実施形態では、突出部は、リフトに設けられ、スロットは、カートリッジに設けられ、あるいは種々の実施形態では、突出部とスロットの種々の組み合わせが設けられ、幾つかはカートリッジに設けられ、幾つかはカートリッジリフトに設けられ、例えば、カートリッジは、近位突出部および遠位スロットを有し、カートリッジリフトは、これに対応して近位スロットおよび遠位突出部を有する。突出部は、カートリッジから延びてステープルのためのカートリッジ内のスペースを最大にするとともにステープルの突き出しを最大にするために突出部がカートリッジから延びることが望ましい場合がある。下側ジョー１２およびカートリッジ５の幾つかの部分は、実施形態の説明を容易にするために図示の実施形態から省かれている。加うるに、別々に図示されているが、カートリッジリフトは、種々の実施形態では、シャフトまたはアクチュエータ内に近位側が連結され、それにより単一の一体形構造体を形成してリフトの一様な運動を更に保証している。
【００９０】
種々の実施形態によれば、作動ビームが閉じ中、圧縮中に機能的な互いに平行なジョーを提供するとともにステープル発射／成形の大きな力をもたらす。したがって、作動ビームは、ジョーを閉じてジョーの長さに沿って一貫した互いに平行な閉じを維持し、種々の実施形態では、作動ビームは、所定の高さ（作動ビームが製造された高さ）で相当大きな発射／閉じ力に耐えるよう構成されている。かくして、作動ビーム構造部材は、例えば高級ステンレス鋼で作られ、かくして、強固でありかつ剛性である。調整可能な作動ビームを製作しまたは提供することにより、作動ビームの固有の強度および剛性を犠牲にしまたは減少させることができる。
【００９１】
種々の実施形態では、調整可能な作動ビームが調整可能なジョー隙間および／または小さいまたは減少した全体的外径または本体直径を提供することができる。種々の実施形態では、かかる調整可能な作動ビームは、幅に関する制約、複雑な構造、例えば作動ビームまたはジョー機構体をもたらすことができるとともに／あるいは作動ビーム強度を減少させることができる。
【００９２】
種々の実施形態では、作動ビームは、作動ビームを前進させたときに頂部ジョーを底部ジョーに対して閉じ動作を行わせる。作動ビームは、固定された高さまたはジョー隙間でジョーを互いに閉じる。作動ビームが高さ調整可能である場合、ユーザは、ジョー隙間の使用を続けるために所望の組織にとって適当にジョー隙間を調整することができる。種々の実施形態によれば、調整可能な作動ビーム１８００が例えば図７２〜図７４に示されており、この場合、作動ビームは、遠位端部のところが分割されまたはフォーク状になっており、上側アーム１８８および下側アーム１８９を提供しており、これら２つ相互間のスペースおよび／または中間部分が省かれている。例えば、図７２Ａおよび図７２Ｂでは、作動ビーム１８００は、作動ビームの上側案内と下側案内との間に位置する調整可能または延伸可能な材料またはウェブ１８０２を有し、一実施形態では、この材料は、これら案内を互いに付勢し、または案内を互いに絞り、それによりステープル高さまたはジョー隙間を減少させるとともに／あるいは圧縮力をジョー相互間の組織に加えようとするために延伸可能でありまたは本来的に付勢される。種々の実施形態によれば、図７３では、ラチェット１８０３、例えば歯またはラックが作動ビーム１８５の上側アームと下側アームのうちのいずれか一方またはこれら両方から延びている。種々の実施形態では、垂直延長タブが作動ビームの上側アームから延びており、この延長タブは、複数の突出部を有し、垂直な延長タブが作動ビームの下側アームから延びており、この延長タブは、作動ビームの上側アームの垂直延長タブの複数の突出部と相互作用するよう配置された複数の突出部を有する。かかるラチェットまたは突出部の相互作用は、アームを互いに保持しまたは付勢し、かかるラチェットまたは突出部の相互作用を利用すると、ビームの全体高さまたはアーム相互間の間隔を小刻みに調整することができる。図７４では、種々の実施形態によれば、カバー管または別の作動管またはカバー１８０５がビームを管中に押し込みまたは管をビームのアームに嵌めているときに作動ビームの上側アームと下側アームを互いに押し合いまたは付勢するよう設けられている。これら上側および下側案内もまた、これらの間に設けられていて案内を結合する際に一様かつ一貫した閉鎖または圧力を提供するのを一段と助ける材料またはラチェットを含むのが良い。加うるに、かかる力または付勢材料もしくは機構体は、種々の実施形態では、一方向であるのが良く、例えば、案内を互いに閉じるよう動き、かくして、開きまたは解除することができず、かつ／あるいは一方向であり、例えば、互いに向かいまたは上側または下側案内に向かって動き、それにより案内相互の平行な関係および案内と長手方向軸線の平行な関係を維持する。別個の解除または離脱コンポーネントがステープル留めされた組織を解除するのに十分アームを互いに離すために用いられる。
【００９３】
しかしながら、かかる調整可能な作動ビームは、依然として、特にジョー相互間の組織が厚い場合、ジョーを閉じるためには十分に大きな強度を提供する必要がある場合がある。調整可能な作動ビームは、カートリッジ内に多数の列をなすステープルのためのスペースを残すよう非常に薄いのが良い。ジョーはまた、発射中、カートリッジに平行なままである必要がある場合がある。したがって、ジョーのうちの一方または両方が隙間を再位置決めして調整可能な作動ビームにマッチさせることができるようにする機構体が必要な場合がある。作動ビームはまた、高さを調整するために別個の付勢コンポーネントまたは機構体の作用を受ける必要がある場合がある。追加の付勢コンポーネントまたは機構体もまた、関節運動しなければならない場合がある。頂部ジョーと底部ジョーとの間のピボット継手はまた、それに応じて調整を行って作動ビームをマッチさせて互いに平行なジョーを維持しなければならない場合がある。
【００９４】
種々の実施形態にしたがって上述した傾斜突起形態は、調整可能な作動ビームの実施形態と比較して、部品数が少ないと言える。傾斜突起は、例えば、薄くかつ単純でまたは真っ直ぐな作動ビームを備えた単一場所のジョーピボットピンを有する。
【００９５】
種々の実施形態では、例えば、図７７〜図７９に示されているように、ステープラは、種々のステープル高さ位置のところに互いに平行なジョーを提供する調整可能な頂部ジョーまたは調整可能なアンビル表面を提供する。しかしながら、制限されたスペースが所与の場合、頂部ジョーは、通常十分に厚くはなく、あるいは、特に底部ジョーおよび関連のステープルのサイズに対してリフト機構体にとって十分なスペースを備えていない。
【００９６】
図７５Ａおよび図７５Ｂに示されているように、隙間７５１が代表的なジョー１１１，１１２の最も遠位側の部分のところに存在し、種々の実施形態では、この隙間は、閉じられまたはほぼゼロの形態に減少しており、それにより代表的な失われたスペースを良好に利用すると、組織を捕捉してこれを圧迫することができる。図７５Ｃおよび図７５Ｄに示されているように、傾斜底部ジョー７５４は、失われたスペースのうちの幾分かを再生する。ジョーの最も遠位側の部分のところの隙間７５１は、ほぼゼロに減少し、他方、ジョーの近位部分のところの組織隙間は、不変のままである。ステープルの発射中、頂部ジョー１１１は、開かれまたは底部ジョー１１２から遠ざけられ、それにより、頂部ジョーが底部ジョーに対して平行な位置に位置決めされて組織の一様な圧迫およびステープル成形が保証される。
【００９７】
図７７Ａおよび図７７Ｂでは、摺動頂部ジョー１１５は、閉じられると、オフセットしまたは固定状態の底部ジョー１２５よりも近位側に位置決めされる。かかる位置では、僅かな隙間またはゼロの隙間７５１がジョー相互間に位置し、それにより小さな外径を定めまたは構成して小径の外科用アクセスポート、例えば５ｍｍカニューレを入れまたは出すのを容易にする。摺動頂部ジョーは、完全に開かれると、ジョー相互間に大きな隙間７５１を定め、それによりジョーがジョー相互間の組織の大部分を捕捉することができる能力を高める。しかしながら、摺動頂部ジョーの摺動ピボット７７５は、ジョーが互いに対して平行なままであり、それにより組織の一様な圧迫およびステープル成形を保証するようにする。種々の実施形態によれば、作動ビームを遠位側に動かすことにより、ジョーは、開き位置および閉じ位置から動きまたは別個のロッド、ケーブルまたは管がジョーを開き位置および閉じ位置から動かし、またはこの逆の関係に動かすために利用される。
【００９８】
図７８Ａ〜図７９Ｃに示されているように、トグル頂部ジョー１１６，１１７は、閉じられると、ジョー相互間に特定の隙間をもたらす。特定の隙間は、小径の外科用アクセスポートを通る器械の配置およびかかる小径の外科用アクセスポートからの器械の取り出しを容易にするのに十分僅かであるのが良い。トグル頂部ジョーは、完全に開かれると、ジョー相互間に大きな隙間を生じさせてジョーがジョー相互間に組織の大部分を捕捉する能力を高める。しかしながら、トグル頂部ジョーは、ジョーが互いに対して平行なままであり、それにより組織の一様な圧迫およびステープル成形を保証するようにする。種々の実施形態によれば、作動ビーム１８を遠位側に動かすと、ジョーを開き位置および閉じ位置から動かすことができる。ビームの近位部分は、トグル頂部ジョーと相互作用してジョーのそれ以上の回転または回動を阻止し、それによりジョーが互いに対して平行なままであり、それにより組織の一様な圧迫およびステープル成形を保証するようにする。種々の実施形態では、トグル頂部ジョーのスロット１１７４は、ジョーを回転させまたは回動させるよう作動ビームと相互作用する。種々の実施形態では、トグル頂部ジョーの足部または近位端部１１７３は、ステープラのシャフトと相互作用してジョーのそれ以上の回転または回動を阻止する。種々の実施形態では、トグル頂部ジョーは、シャフトに回動可能に連結された頂部ジョートグル１１６１，１１７１およびトグルリンク１１６２，１１７２および／または底部ジョーまたは底部ジョー支持体を有する。トグルリンクもまた、頂部ジョートグルに回動可能に連結されている。頂部ジョートグルは、底部ジョー１２５に平行なままであり、この頂部ジョートグルは、アンビルを有する。頂部ジョートグルは、種々の実施形態では、ステープル成形力に耐えるとともにステープル成形を容易にするようトグルリンクよりも強固なまたは堅固な材料で作られまたはかかる材料から成る。
【００９９】
作動ビーム１８を備えた調整可能な頂部ジョーは、上述した実施形態とほぼ同じである。作動ビーム高さは、使用中、同一高さのままであるが、ステープル高さの差は、頂部ジョーまたは下側ジョー組立体中に存在する僅かなシューまたはスペーサによって許容される。例えば、僅かなジョー隙間が望ましい場合、スペーサが追加され、他方、大きなジョー隙間が望ましい場合、スペーサは用いられない。スペーサを追加するかどうかの決定は、ユーザに任されるのが良い。所望されるスペーサの係合は、発射または事前発射プロセスで用いられる作動ビームまたは類似の機構体によって作動されるのが良い。かかる機構体もまた、関節運動をする必要がある場合がある。頂部または底部ジョーは、ジョー強度を減少させることができるスペーサのためのスペースを提供するよう薄いものである必要がある場合がある。スペーサの強度はまた、減少したジョー強度に対応するとともにステープル成形プロセス中の圧縮力に耐えるよう高められるのが良い。使用されていないときのスペーサの保管に対応するためのスペースもまた設けられるのが良い。
【０１００】
上述した種々の他の実施形態と比較して、頂部ジョーは、断面が同様に厚い。曲げを最小限に抑える強固な頂部ジョーは、適正なステープル成形にとって望ましい場合が多い。したがって、単一の一体形ジョーが望ましい場合が多い。スペーサは、有限回数の隙間高さの変化をもたらし、かかるスペーサは、自動調整可能ではない。
【０１０１】
種々の実施形態によれば、調整可能な頂部ジョーは、調整可能でありかつ同程度のジョー隙間および全体的な小さな本体直径を提供することができる。しかしながら、調整可能な頂部ジョーはまた、ステープルライン相互間のスペースを増大させ、作動ビームまたは他のコンポーネントに対する複雑さを増大させるとともに／あるいは頂部ジョー強度を減少させることができる。
【０１０２】
種々の実施形態によれば、カートリッジは、ばねまたは他の類似の付勢機構体を用いて調整される。しかしながら、かかる実施形態は、最適間隔にいったん達すると、カートリッジを定位置にロックするのが困難な場合がある。例えば、カートリッジの下に位置するばねにより、カートリッジは、組織の厚さに起因して動きまたは調整を行うことができる。しかしながら、カートリッジは、この場合もまたステープル発射および成形中に遭遇する大きな力に起因して動く。したがって、カートリッジは、組織厚さに応じて自由に動くが、最適高さがいったん見出され、しかも全てが直線腹腔鏡的切断カートリッジの限定されたスペース内に納められると、しっかりと定位置にロックすることができない場合がある。
【０１０３】
図７６を参照すると、種々の実施形態によれば、カートリッジ５は、浮動状態にありまたはステープラのジョーに直接的には結合されていない。カートリッジと組織の接触により、カートリッジは、最適組織隙間に合わせてサイズ変更する。カートリッジは、カートリッジを最適組織隙間で定位置にロックするためにジョーに設けられた対応の歯１２０２とインターロックする歯５００２を有する。一実施形態では、底部ジョーは、カートリッジの歯と底部ジョーをインターロックするようカートリッジにクランプする。別の実施形態では、作動ビームの運動により、カートリッジが側部に摺動してカートリッジの歯と底部ジョーをインターロックする。歯は、カートリッジの両側部上に設けられ、対応のインターロック歯が底部ジョーの両側部に設けられている。
【０１０４】
種々の実施形態によれば、調整可能な頂部／底部ジョーが作動ビームの使用なしで提供される。ジョーを開閉する他の機構体は、閉じ中およびステープル成形中に互いに平行なジョーを提供するとともに閉じ中およびステープル成形中に遭遇する圧縮力に反作用しまたはかかる圧縮力を考慮にいれている。かくして、かかる機構体は、厚くかつ強固である場合があり、それにより、関節運動能力を減少させまたはスペースの利用性を低下させて腹腔鏡下手技におけるスペースの制約に対応することができる。
【０１０５】
頂部ジョーは、作動ビームが設けられていないので通常のジョーよりも非常に厚くなければならない。カートリッジは、切断ブレードを収容してこれを器具が発射されジョーが開かれた後に保護する必要がある。
【０１０６】
種々の実施形態によれば、１つまたは２つ以上の傾斜突起が傾斜路、リテーナまたは下側ジョーの側部に設けられている傾斜突起と相互作用するカートリッジまたはカートリッジリフトの側部に沿って配置されている。作動ビームは、ジョーを閉じ、ステープルを発射し、ジョー隙間ばねを解除し、そして組織を切断するために切断ビームが設けられている。ジョー隙間は、側部傾斜突起によって設定され、一実施形態では、カートリッジは、カートリッジリフトの作用を受けるフレームによって定位置に保持される。カートリッジリフトが作動されると、フレームとカートリッジは、組織圧迫に最適であると規定されまたはあらかじめ決定された付勢部材、例えばばねおよびそのばね定数に基づいて隙間を閉じる。ジョー隙間の変更は、自動的に行われる。
【０１０７】
かかる実施形態では、圧縮力が上述の種々の他の実施形態において提供されているように平坦な底面上に分配されるのではなく、カートリッジまたはカートリッジリフトの側部に伝達される。かかる側部分配は、適正なステープル成形のためのかかる力に対応する能力を減少させる場合がありまたは遭遇する力を考慮に入れるためにかかるコンポーネントの厚いまたは強固なウェッジまたは側部を必要とする場合がある。種々の実施形態によれば、側部傾斜突起は、調整可能でありかつ同等なジョー隙間および全体的に小さい本体直径を提供する。しかしながら、側部傾斜突起は、幅の制約を受ける場合がある。種々の実施形態では、ステープラは、カートリッジリフトまたはリフトロックの付勢を開始させ、ロック解除しまたは作動させる別個のユーザによって接近可能なスイッチまたはボタンを有する。種々の実施形態では、別個のスイッチは、ステープルの発射がいったん作動されまたはロック解除された場合にのみ接近可能になるのが良い。カートリッジの付勢は、種々の実施形態では、１つまたは２つ以上のばね、弾性バンド、ケーブル、磁石、水力学的技術または他の類似の付勢システムによって実施されるのが良い。カートリッジリフト、付勢システムまたはこれら両方は、種々の実施形態では、モータおよび／またはセンサによって支援されるのが良い。種々の実施形態では、リフトロックをロックし直すことができずまたは付勢システムをその初期位置にリセットすることができずまたは戻すことができない。
【０１０８】
加うるに、本願は、ある特定の実施形態及び実施例を開示しているが、当業者には理解されるように、本発明は、具体的に開示した実施形態を超えて他の変形実施形態および／または本発明の使用、明白な改造およびその均等例に及ぶ。さらに、これらの発明の種々の特徴を単独でまたは明示的に上述した特徴以外の本発明の他の特徴と組み合わせて利用できる。したがって、理解されるべきこととして、実施形態および特徴または種々の実施形態の観点の特定の組み合わせを明示的に説明していない場合があるが、かかる組み合わせは、本発明の範囲内で想定される。かくして、本明細書において開示された本発明の範囲は、上述の具体的に開示した実施形態によって制限されることはないことが意図されている。
１．外科用のステープラであって、
アンビルを含む第１のジョーを有し、
複数のステープルを収容したカートリッジを含む第２のジョーを有し、前記第１のジョーは、前記第２のジョーに近づいたり該第２のジョーから遠ざかったりすることができ、
前記第２のジョーと前記カートリッジとの間に設けられたカートリッジリフトを有し、前記リフトは、前記リフトが長手方向に動いている間、前記カートリッジを前記第１のジョーに向かって動かすよう配置されている、ステープラ。
２．前記リフトは、近位側の方向にのみ動く、第１項に記載のステープラ。
３．前記カートリッジは、前記第１のジョーに向かう方向にのみ動く、第１項又は第２項に記載のステープラ。
４．前記カートリッジは、前記ステープルの発射に先立って動く、第１項乃至第３項の何れかに記載のステープラ。
５．前記カートリッジリフトに連結されたばねを更に有する、第１項乃至第４項の何れかに記載のステープラ。
６．前記ばねは、拘束されている、第１項乃至第５項の何れかに記載のステープラ。
７．前記第１および前記第２のジョーに連結された細長いシャフトを更に有し、前記第１のジョーと前記第２のジョーは、互いに回動可能に連結され、アクチュエータが前記細長いシャフトに取り外し可能に連結され、前記アクチュエータは、前記ジョーを開閉し、前記ステープルを発射し、ブレードを並進させるとともに前記ばねを解除するよう構成されている、第１項乃至第６項の何れかに記載のステープラ。
８．前記カートリッジリフトは、リテーナに向いている下面を備えた傾斜突起を有し、前記リテーナは、前記カートリッジリフトに向いている上面を備えた傾斜突起を有し、前記リテーナの前記傾斜突起の前記上面は、前記カートリッジリフトの前記傾斜突起の前記下面と相補するよう形作られるとともに位置決めされている、第１項乃至第７項の何れかに記載のステープラ。
９．前記カートリッジリフトの運動を制止するリフトロックを更に有する、第１項乃至第８項の何れかに記載のステープラ。
１０．前記リテーナおよび前記アンビルは、前記カートリッジが垂直に動いているとき、静止状態のままである、第１項乃至第９項の何れかに記載のステープラ。
１１．前記カートリッジリフトは、前記カートリッジリフトばねが前記カートリッジリフトを近位側の方向に引くことによって付勢される、第１項乃至第１０項の何れかに記載のステープラ。
１２．前記ばねは、当初ロックされ、前記カートリッジリフトは、最も下の垂直位置に位置したままである、第１項乃至第１１項の何れかに記載のステープラ。
１３．前記ばねは、発射操作がいったん始まると、ロック解除される、第１項乃至第１２項の何れかに記載のステープラ。
１４．前記ばねをロックし直すことができない、第１項乃至第１３項の何れかに記載のステープラ。
１５．前記カートリッジリフトは、積極的な垂直力を前記カートリッジに及ぼす、第１項乃至第１４項の何れかに記載のステープラ。
１６．外科用のステープラであって、
アンビルを含む第１のジョーを有し、
複数のステープルを備えたカートリッジを含むとともに近位端から遠位端まで延びる第２のジョーを有し、前記第１のジョーは、前記第２のジョーに近づいたり該第２のジョーから遠ざかったりすることができ、
前記第２のジョーと前記カートリッジとの間に設けられた状態で前記第２のジョーの前記遠位端から遠ざかる近位側への長手方向に付勢されるカートリッジリフトを有する、ステープラ。
１７．前記カートリッジは、前記カートリッジリフトが動く単一の方向に対して横の単一の方向にしか動くことができない、第１６項に記載のステープラ。
１８．前記アンビルは、動くことができない、請求項１６又は１７記載のステープラ。
１９．前記アンビルは、静止している、第１６項乃至第１８項の何れかに記載のステープラ。
２０．前記可動リフトは、リフトばねによって付勢される、第１６項乃至第１９項の何れかに記載のステープラ。
２１．前記リフトばねが動くのを阻止するリフトロックを更に有し、前記リフトロックは、発射操作がいったん始まると、ロック解除されて前記リフトばねを解除する、第１６項乃至第２０項の何れかに記載のステープラ。
２２．前記リフトロックをロックし直すことができない、第１６項乃至第２１項の何れかに記載のステープラ。
２３．前記リフトロックは、ユーザから接近可能ではない、第１６項乃至第２２項の何れかに記載のステープラ。
２４．外科用のステープラであって、
アンビルを含む第１のジョーを有し、
カートリッジを含む第２のジョーを有し、前記第１のジョーは、前記第２のジョーに向かって動くことができ、
上側アームおよび下側アームを有するとともに前記上側アームと前記下側アームとの間に距離を定める作動ビームを有し、前記距離は、調節可能である、ステープラ。
２５．前記作動ビームの前記上側アームと前記下側アームとの間に設けられていて、前記上側アームと前記下側アームとの間の前記調節可能な距離を制限するウェブを更に有する、第２４項に記載のステープラ。
２６．前記作動ビームの前記上側アームから延びるとともに複数の突出部を含む垂直延長タブおよび、前記作動ビームの前記下側アームから延びる垂直延長タブとを更に有し、該垂直延長タブは、前記作動ビームを前記上側アームの前記垂直延長タブの前記複数の突出部と相互作用するよう配置された複数の突出部を有する、第２４項又は第２５項に記載のステープラ。
２７．前記作動ビームの前記上側アームから横方向に延びる上側タブおよび、前記作動ビームの前記下側アームから横方向に延びる下側タブを更に有し、前記上側タブは、前記作動ビームの前記上側アームと前記下側アームとの間の前記調節可能な距離を制限するために前記下側タブと相互作用するよう位置決めされている、第２４項乃至第２６項の何れかに記載のステープラ。
２８．外科用のステープラであって、
アンビルを含む上側ジョーを有し、
カートリッジを含む下側ジョーを有し、前記下側ジョーは、前記上側ジョーに向かって動くことができ、前記上側ジョーと前記下側ジョーとの間の距離は、調節可能であり、前記ジョーの最も近位側の部分は、前記上側ジョーと前記下側ジョーとの間にほぼゼロの隙間を有する、ステープラ。
２９．前記第１のジョーは、該ジョーの近位部分と該ジョーの遠位部分との間にトグルジョーリンクを有する、第２８項に記載のステープラ。
３０．前記下側ジョーは、前記上側ジョーに向かって傾けられており、前記下側ジョーは、前記下側ジョーの近位端から遠位端まで漸増する勾配を備えた傾斜面を有する、第２８項又は第２９項に記載のステープラ。
３１．前記カートリッジは、前記下側ジョーに対して長手方向運動が拘束されるとともに前記下側ジョーに対して垂直運動が拘束されない状態で浮動状態にある、請求項２８乃至３０の何れか１項に記載のステープラ。
３２．前記上側ジョーは、摺動ピボットに連結されている、第２８項乃至第３１項の何れかに記載のステープラ。
【図１Ａ】
2020114445.tif 000003
【図１Ｂ】
2020114445.tif 000004
【図２Ａ】
2020114445.tif 000005
【図２Ｂ】
2020114445.tif 000006
【図３Ａ】
2020114445.tif 000007
【図３Ｂ】
2020114445.tif 000008
【図４】
2020114445.tif 000009
【図５】
2020114445.tif 000010
【図６】
2020114445.tif 000011
【図７Ａ】
2020114445.tif 000012
【図７Ｂ】
2020114445.tif 000013
【図８Ａ】
2020114445.tif 000014
【図８Ｂ】
2020114445.tif 000015
【図８Ｃ】
2020114445.tif 000016
【図９Ａ】
2020114445.tif 000017
【図９Ｂ】
2020114445.tif 000018
【図１０Ａ】
2020114445.tif 000019
【図１０Ｂ】
2020114445.tif 000020
【図１１Ａ】
2020114445.tif 000021
【図１１Ｂ】
2020114445.tif 000022
【図１２Ａ】
2020114445.tif 000023
【図１２Ｂ】
2020114445.tif 000024
【図１３Ａ】
2020114445.tif 000025
【図１３Ｂ】
2020114445.tif 000026
【図１４Ａ】
2020114445.tif 000027
【図１４Ｂ】
2020114445.tif 000028
【図１５Ａ】
2020114445.tif 000029
【図１５Ｂ】
2020114445.tif 000030
【図１６Ａ】
2020114445.tif 000031
【図１６Ｂ】
2020114445.tif 000032
【図１７Ａ】
2020114445.tif 000033
【図１７Ｂ】
2020114445.tif 000034
【図１７Ｃ】
2020114445.tif 000035
【図１７Ｄ】
2020114445.tif 000036
【図１８】
2020114445.tif 000037
【図１９】
2020114445.tif 000038
【図２０】
2020114445.tif 000039
【図２１】
2020114445.tif 000040
【図２２】
2020114445.tif 000041
【図２３】
2020114445.tif 000042
【図２４】
2020114445.tif 000043
【図２５】
2020114445.tif 000044
【図２６】
2020114445.tif 000045
【図２７】
2020114445.tif 000046
【図２８】
2020114445.tif 000047
【図２９】
2020114445.tif 000048
【図３０】
2020114445.tif 000049
【図３１】
2020114445.tif 000050
【図３２】
2020114445.tif 000051
【図３３】
2020114445.tif 000052
【図３４】
2020114445.tif 000053
【図３５】
2020114445.tif 000054
【図３６】
2020114445.tif 000055
【図３７】
2020114445.tif 000056
【図３８】
2020114445.tif 000057
【図３９】
2020114445.tif 000058
【図４０】
2020114445.tif 000059
【図４１】
2020114445.tif 000060
【図４２】
2020114445.tif 000061
【図４３】
2020114445.tif 000062
【図４４】
2020114445.tif 000063
【図４５Ａ】
2020114445.tif 000064
【図４５Ｂ】
2020114445.tif 000065
【図４５Ｃ】
2020114445.tif 000066
【図４５Ｄ】
2020114445.tif 000067
【図４６】
2020114445.tif 000068
【図４７】
2020114445.tif 000069
【図４８】
2020114445.tif 000070
【図４９】
2020114445.tif 000071
【図５０Ａ】
2020114445.tif 000072
【図５０Ｂ】
2020114445.tif 000073
【図５１Ａ】
2020114445.tif 000074
【図５１Ｂ】
2020114445.tif 000075
【図５１Ｃ】
2020114445.tif 000076
【図５２Ａ】
2020114445.tif 000077
【図５２Ｂ】
2020114445.tif 000078
【図５３Ａ】
2020114445.tif 000079
【図５３Ｂ】
2020114445.tif 000080
【図５４】
2020114445.tif 000081
【図５５Ａ】
2020114445.tif 000082
【図５５Ｂ】
2020114445.tif 000083
【図５６Ａ】
2020114445.tif 000084
【図５６Ｂ】
2020114445.tif 000085
【図５６Ｃ】
2020114445.tif 000086
【図５７Ａ】
2020114445.tif 000087
【図５７Ｂ】
2020114445.tif 000088
【図５８Ａ】
2020114445.tif 000089
【図５８Ｂ】
2020114445.tif 000090
【図５９Ａ】
2020114445.tif 000091
【図５９Ｂ】
2020114445.tif 000092
【図６０】
2020114445.tif 000093
【図６１Ａ】
2020114445.tif 000094
【図６１Ｂ】
2020114445.tif 000095
【図６２Ａ】
2020114445.tif 000096
【図６２Ｂ】
2020114445.tif 000097
【図６３Ａ】
2020114445.tif 000098
【図６３Ｂ】
2020114445.tif 000099
【図６４Ａ】
2020114445.tif 000100
【図６４Ｂ】
2020114445.tif 000101
【図６５Ａ】
2020114445.tif 000102
【図６５Ｂ】
2020114445.tif 000103
【図６６Ａ】
2020114445.tif 000104
【図６６Ｂ】
2020114445.tif 000105
【図６７Ａ】
2020114445.tif 000106
【図６７Ｂ】
2020114445.tif 000107
【図６８Ａ】
2020114445.tif 000108
【図６８Ｂ】
2020114445.tif 000109
【図６９Ａ】
2020114445.tif 000110
【図６９Ｂ】
2020114445.tif 000111
【図７０Ａ】
2020114445.tif 000112
【図７０Ｂ】
2020114445.tif 000113
【図７１】
2020114445.tif 000114
【図７２Ａ】
2020114445.tif 000115
【図７２Ｂ】
2020114445.tif 000116
【図７３】
2020114445.tif 000117
【図７４】
2020114445.tif 000118
【図７５Ａ】
2020114445.tif 000119
【図７５Ｂ】
2020114445.tif 000120
【図７５Ｃ】
2020114445.tif 000121
【図７５Ｄ】
2020114445.tif 000122
【図７６】
2020114445.tif 000123
【図７７Ａ】
2020114445.tif 000124
【図７７Ｂ】
2020114445.tif 000125
【図７８Ａ】
2020114445.tif 000126
【図７８Ｂ】
2020114445.tif 000127
【図７９Ａ】
2020114445.tif 000128
【図７９Ｂ】
2020114445.tif 000129
【図７９Ｃ】
2020114445.tif 000130
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
外科用のステープラであって、
アンビルを含む第１のジョーを有し、
複数のステープルを収容したカートリッジと複数のステープルポケット内に配置された対応するステープルプッシャの組とを含む第２のジョーであって、前記ステープルプッシャは、前記カートリッジの中を長手方向に動きながら、スライダ上のフィンの組との相互作用により前記ステープルを前記ステープルポケットから射出するように作動可能であり、前記第１のジョーが前記第２のジョーに近づいたり該第２のジョーから遠ざかったりすることができる、第２のジョーと、
前記第２のジョー内に固定され、その内部に配置された複数の斜面を備えている傾斜路と、
前記カートリッジと前記傾斜路との間に位置決めされたカートリッジリフトであって、前記カートリッジがその上に載せられる略平坦な上面と、前記傾斜面の斜面と対応関係をなして結合し、前記カートリッジリフトが長手方向に動いたとき、前記カートリッジを前記第２のジョー内で前記アンビルに向けて上下方向に動かす下面と、を有しているカートリッジリフトとを、備えている
ことを特徴とする外科用のステープラ。
【請求項２】
前記カートリッジリフトが、その上面に前記カートリッジを載せるガイドを備えている、
請求項１記載の外科用のステープラ。
【請求項３】
前記カートリッジリフトを近位方向に付勢するカートリッジリフトスプリングを更に備えている、
請求項１又は２に記載の外科用のステープラ。
【請求項４】
カートリッジリフトビームおよびカートリッジリフト筒を更に備え、
前記カートリッジリフトは、前記カートリッジリフト筒に連結された前記カートリッジリフトビームに連結されている、
請求項１ないし３のいずれか１項に記載の外科用のステープラ。
【請求項５】
前記カートリッジリフトスプリングが、前記カートリッジリフト筒を近位方向に付勢している、
請求項１乃至４の何れか１項に記載の外科用のステープラ。
【請求項６】
前記カートリッジリフトスプリングと前記カートリッジリフト筒との間にカートリッジリフトスペーサを更に備えている、
請求項５に記載の外科用のステープラ。
【請求項７】
前記ステープルの発射が開始されるまで、前記カートリッジリフト筒が初期位置から近位方向に動かないようにブロックする再使用ロックアウトを備えている、
請求項４ないし６のいずれか１項に記載の外科用のステープラ。
【請求項８】
前記ステープルの発射が開始されると、前記ステープルリフト筒が前記再使用ロックアウト超えて摺動し、前記カートリッジリフト筒が初期位置にリセットされないようにする、
請求項７に記載の外科用のステープラ。
【請求項９】
前記ステープルの発射が開始されると、前記カートリッジリフトが初期位置に戻ることができない、
請求項７または８に記載に記載の外科用のステープラ。
【請求項１０】
近位端から遠位端に延びる細長いシャフトをさらに備え、
前記第１のジョーおよび第２のジョーが、前記細長いシャフトの遠位端に位置決めされている、
請求項１ないし９のいずれか１項に記載の外科用のステープラ。
【請求項１１】
近位端から遠位端に延びる細長いシャフトをさらに備え、
前記第１のジョーおよび第２のジョーが、前記細長いシャフトの遠位端に位置決めされ、前記カートリッジリフトスプリングが、前記細長いシャフト内に配置されている、
請求項３ないし９のいずれか１項に記載の外科用のステープラ。
【請求項１２】
前記スライダに作動的に連結され且つ遠位側作動スライドに連結された近位側作動スライドを有している作動スライドに連結されている作動ビームを更に備え、
前記細長いシャフトが、外側カバー管と該外側カバー管に囲まれた作動カバー管とを備え、
前記作動スライドが、前記作動カバー管内を並進し、
前記リフト筒が前記作動カバー管の回りに配置されている、
請求項１１に記載の外科用のステープラ。
【請求項１３】
前記カートリッジリフトスプリングが前記作動カバー管を囲んでいる、
請求項１２に記載の外科用のステープラ。
【請求項１４】
前記カートリッジリフトがこれを貫通するチャネルを備え、これを通して長手方向に移動する作動ビームを収容している、
請求項１２に記載の外科用のステープラ。
【外国語明細書】
2020114445000001.pdf